(57)【要約】  ダウンリンク通信に用いられるリソースが基地局によって分割され得るので、これらのリソースのある部分が低レイテンシデータのダウンリンク送信のために予約される。しかしながら、低レイテンシデータは突発的又は散発的な性質であり得、短いパケットで送信され得る。したがって、低レイテンシリソースの全てを用いて送信する必要がある低レイテンシデータが必ずしも基地局にあるとは限らないかもしれない。したがって、１つ又は複数のレイテンシ耐性ＵＥ用のレイテンシ耐性データを低レイテンシリソースに基地局が日和見的にスケジューリングするシステム及び方法が開示される。レイテンシ耐性データが低レイテンシリソースにスケジューリングされた場合、低レイテンシリソースでのレイテンシ耐性送信が修正されたかどうかを示すのにシグナリングが用いられる。
2019526979.tif 000002
【特許請求の範囲】
【請求項１】
ユーザ機器（ＵＥ）によって実行される方法であって、前記方法は、
第１のダウンリンクリソースによるダウンリンク送信を基地局から受信する段階と、
シグナリングを受信する段階であって、前記シグナリングは少なくとも１つの他のＵＥにも送出され、前記シグナリングは前記第１のダウンリンクリソースのある部分のデータがパンクチャリングされていることを示す、段階と、
前記シグナリングに基づいて前記ダウンリンク送信の復号を修正する段階と
を備える方法。
【請求項２】
前記方法はさらに、前記第１のダウンリンクリソースの時間−周波数位置を示す制御情報を半静的に受信する段階を備える、請求項１に記載の方法。
【請求項３】
前記方法はさらに、受信データが前記ダウンリンク送信を復号するのに不十分である場合、ハイブリッド自動再送要求（ＨＡＲＱ）再送信を要求する段階を備える、請求項１から２のいずれかに記載の方法。
【請求項４】
前記ダウンリンク送信の復号を修正する段階は、前記第１のダウンリンクリソースのパンクチャリングされている前記部分で受信された前記データのビットを無視する段階を含む、請求項１から３のいずれかに記載の方法。
【請求項５】
前記ダウンリンク送信はレイテンシ耐性データのダウンリンク送信であり、
前記方法はさらに、前記レイテンシ耐性データが前記第１のダウンリンクリソースにスケジューリングされ、前記第１のダウンリンクリソースが低レイテンシデータにも用いられるように配分された場合、前記シグナリングを監視する段階を備える、請求項１から４のいずれかに記載の方法。
【請求項６】
前記監視する段階は低レイテンシ間隔ごとに行われる、請求項５に記載の方法。
【請求項７】
前記監視する段階は低レイテンシ間隔のグループごとに行われる、請求項５に記載の方法。
【請求項８】
前記監視する段階は低レイテンシ間隔のグループの最後の部分で行われる、請求項７に記載の方法。
【請求項９】
低レイテンシ間隔の前記グループの期間がレイテンシ耐性間隔より短い又はそれに等しく、前記レイテンシ耐性間隔はレイテンシ耐性スケジューリング間隔であり、低レイテンシ間隔が低レイテンシサブフレームである、請求項７に記載の方法。
【請求項１０】
ユーザ機器（ＵＥ）であって、
第１のダウンリンクリソースによるダウンリンク送信を基地局から受信し且つシグナリングを受信する受信機であって、前記シグナリングは少なくとも１つの他のＵＥにも送出され、前記シグナリングは前記第１のダウンリンクリソースのある部分のデータがパンクチャリングされていることを示す、受信機と、
前記シグナリングに基づいて前記ダウンリンク送信の復号を修正するデコーダと
を備えるＵＥ。
【請求項１１】
前記受信機はさらに、前記第１のダウンリンクリソースの時間−周波数位置を示す制御情報を半静的に受信する、請求項１０に記載のＵＥ。
【請求項１２】
前記デコーダは、受信データが前記ダウンリンク送信を復号するのに不十分である場合、ハイブリッド自動再送要求（ＨＡＲＱ）再送信を要求する、請求項１０から１１のいずれかに記載のＵＥ。
【請求項１３】
前記デコーダは、前記第１のダウンリンクリソースのパンクチャリングされている前記部分で受信した前記データのビットを無視することにより、前記ダウンリンク送信の復号を修正する、請求項１０から１２のいずれかに記載のＵＥ。
【請求項１４】
前記ダウンリンク送信はレイテンシ耐性データのダウンリンク送信であり、前記受信機は、前記レイテンシ耐性データが前記第１のダウンリンクリソースにスケジューリングされ、前記第１のダウンリンクリソースが低レイテンシデータにも用いられるように配分された場合、前記シグナリングを監視する、請求項１０から１３のいずれかに記載のＵＥ。
【請求項１５】
前記監視は低レイテンシ間隔ごとに行われる、請求項１４に記載のＵＥ。
【請求項１６】
前記監視は低レイテンシ間隔のグループごとに行われる、請求項１４に記載のＵＥ。
【請求項１７】
前記監視は低レイテンシ間隔のグループの最後の部分で行われる、請求項１６に記載のＵＥ。
【請求項１８】
低レイテンシ間隔の前記グループの期間がレイテンシ耐性間隔より短い又はそれに等しく、前記レイテンシ耐性間隔はレイテンシ耐性スケジューリング間隔であり、低レイテンシ間隔が低レイテンシサブフレームである、請求項１６に記載のＵＥ。
【請求項１９】
無線通信の方法であって、
第１のダウンリンクリソースによるスケジューリングされた第１のダウンリンク送信を第１のユーザ機器（ＵＥ）に送信する段階と、
前記第１のダウンリンクリソースによるスケジューリングされた第２のダウンリンク送信を第２のＵＥに送信する段階と、
前記第１のダウンリンクリソースとは異なる第２のダウンリンクリソースによるスケジューリングされた第３のダウンリンク送信を第３のＵＥに送信する段階と、
共通シグナリングを前記第１のＵＥ及び前記第２のＵＥに送信するが、前記第３のＵＥには送信しない段階であって、前記共通シグナリングは、前記第１のダウンリンク送信及び前記第２のダウンリンク送信のうちの少なくとも一方のある部分がパンクチャリングされていることを示す、段階と、
前記第１のダウンリンク送信及び前記第２のダウンリンク送信のうちの前記少なくとも一方のパンクチャリングされている前記部分による第４のダウンリンク送信を第４のＵＥに送信する段階と
を備える方法。
【請求項２０】
前記方法はさらに、前記第１のダウンリンクリソースの時間−周波数位置を示す制御情報を半静的に送信する段階を備える、請求項１９に記載の方法。
【請求項２１】
前記方法はさらに、前記第１のダウンリンクリソースの時間−周波数位置を示す制御情報を動的に送信する段階を備える、請求項１９から２０のいずれかに記載の方法。
【請求項２２】
前記第４のダウンリンク送信は、前記第１のダウンリンク送信、前記第２のダウンリンク送信、及び前記第３のダウンリンク送信のうちの少なくとも１つとは異なるサブキャリア間隔を有する、請求項１９から２１のいずれかに記載の方法。
【請求項２３】
前記第４のダウンリンク送信は、前記第１のダウンリンク送信、前記第２のダウンリンク送信、及び前記第３のダウンリンク送信のそれぞれより低レイテンシの要件を有する、請求項１９から２２のいずれかに記載の方法。
【請求項２４】
前記共通シグナリングは、前記第１のダウンリンクリソースのパンクチャリングされている前記部分の時間−周波数位置を示す、請求項１９から２３のいずれかに記載の方法。
【請求項２５】
前記共通シグナリングはビットマップを含む、請求項２４に記載の方法。
【請求項２６】
前記ビットマップは複数のビットを含み、前記複数のビットの各ビットは個々の低レイテンシサブフレームに対応し、前記個々の低レイテンシサブフレームがパンクチャリングされているかどうかを示す、請求項２５に記載の方法。
【請求項２７】
前記共通シグナリングは、複数の低レイテンシサブフレームのそれぞれの個々の値を示し、前記値は前記サブフレームのどの部分がパンクチャリングされているかを示す、請求項２４に記載の方法。
【請求項２８】
前記値は複数のビットで表される、請求項２７に記載の方法。
【請求項２９】
第１のダウンリンクリソースによる第１のダウンリンク送信を第１のユーザ機器（ＵＥ）用にスケジューリングするスケジューラであって、
前記スケジューラは、前記第１のダウンリンクリソースによる第２のダウンリンク送信を第２のＵＥ用にスケジューリングし、
前記スケジューラは、前記第１のダウンリンクリソースとは異なる第２のダウンリンクリソースによる第３のダウンリンク送信を第３のＵＥ用にスケジューリングする、スケジューラと、
前記第１のＵＥ及び前記第２のＵＥ用であるが前記第３のＵＥ用ではない共通シグナリングを発生させるシグナリング発生器であって、前記共通シグナリングは、前記第１のダウンリンク送信及び前記第２のダウンリンク送信のうちの少なくとも一方のある部分がパンクチャリングされていることを示し、
前記スケジューラは、前記第１のダウンリンク送信及び前記第２のダウンリンク送信のうちの前記少なくとも一方のパンクチャリングされている前記部分による第４のダウンリンク送信を第４のＵＥ用にスケジューリングする、シグナリング発生器と
を備える基地局。
【請求項３０】
前記基地局は、前記第１のダウンリンクリソースの時間−周波数位置を示す制御情報を半静的に送信する、請求項２９に記載の基地局。
【請求項３１】
前記基地局は、前記第１のダウンリンクリソースの時間−周波数位置を示す制御情報を動的に送信する、請求項２９から３０のいずれかに記載の基地局。
【請求項３２】
前記第４のダウンリンク送信は、前記第１のダウンリンク送信、前記第２のダウンリンク送信、及び前記第３のダウンリンク送信のうちの少なくとも１つとは異なるサブキャリア間隔を有する、請求項２９から３１のいずれかに記載の基地局。
【請求項３３】
前記第４のダウンリンク送信は、前記第１のダウンリンク送信、前記第２のダウンリンク送信、及び前記第３のダウンリンク送信のそれぞれより低レイテンシの要件を有する、請求項２９から３２のいずれかに記載の基地局。
【請求項３４】
前記共通シグナリングは、前記第１のダウンリンク送信及び前記第２のダウンリンク送信のうちの前記少なくとも一方のパンクチャリングされている前記部分の時間−周波数位置を示す、請求項２９から３３のいずれかに記載の基地局。
【請求項３５】
前記共通シグナリングは、前記第１のダウンリンクリソースのパンクチャリングされている前記部分の時間−周波数位置を示す、請求項２９から３４のいずれかに記載の基地局。
【請求項３６】
前記共通シグナリングはビットマップを含む、請求項３５に記載の基地局。
【請求項３７】
前記ビットマップは複数のビットを含み、前記複数のビットの各ビットは個々の低レイテンシサブフレームに対応し、前記個々の低レイテンシサブフレームがパンクチャリングされているかどうかを示す、請求項３６に記載の基地局。
【請求項３８】
前記共通シグナリングは、複数の低レイテンシサブフレームのそれぞれの個々の値を示し、前記値は前記サブフレームのどの部分がパンクチャリングされているかを示す、請求項３５に記載の基地局。
【請求項３９】
前記値は複数のビットで表される、請求項３８に記載の基地局。
【発明の詳細な説明】
【技術分野】
【０００１】
［優先権］
本出願は、２０１６年８月２５日に出願された「低レイテンシとレイテンシ耐性とが共存したダウンリンク通信（Ｃｏ−ｅｘｉｓｔｅｎｃｅ  ｏｆ  Ｌｏｗ  Ｌａｔｅｎｃｙ  ａｎｄ  Ｌａｔｅｎｃｙ  Ｔｏｌｅｒａｎｔ  Ｄｏｗｎｌｉｎｋ  Ｃｏｍｍｕｎｉｃａｔｉｏｎ）」と題する米国仮特許出願第６２／３７９，５５９号と、２０１７年８月１１日に出願された「低レイテンシとレイテンシ耐性とが共存したダウンリンク通信」と題する米国特許出願第１５／６７５，４３２号とに基づく優先権を主張し、この仮特許出願及び特許出願の内容は全体の参照により本明細書に組み込まれる。
【０００２】
本出願は、無線通信に関するものであり、より詳細には、低レイテンシとレイテンシ耐性とが共存したダウンリンク通信に関するものである。
【背景技術】
【０００３】
一部の無線通信システムでは、複数のユーザ機器（ＵＥ）が１つ又は複数の基地局と無線で通信する。ＵＥから基地局への無線通信が、アップリンク通信と呼ばれる。基地局からＵＥへの無線通信が、ダウンリンク通信と呼ばれる。アップリンク通信及びダウンリンク通信を行うには、リソースが必要とされる。例えば、基地局は、特定の周波数での特定の期間のダウンリンク通信で、データをＵＥに無線で送信し得る。周波数及び期間は、リソースの例である。
【０００４】
基地局は、ダウンリンク通信用のリソースを、基地局がサービスを提供する複数のＵＥに配分する。無線通信は、直交周波数分割多重化（ＯＦＤＭ）シンボルを送信することで行われ得る。
【０００５】
基地局がサービスを提供する一部のＵＥは、基地局がサービスを提供する他のＵＥより低いレイテンシで、データを基地局から受信する必要があり得る。例えば、基地局が、第１のＵＥ及び第２のＵＥを含む複数のＵＥにサービスを提供し得る。第１のＵＥは人が携帯するモバイルデバイスであってよく、その人はインターネット上で閲覧するために第１のＵＥを用いている。第２のＵＥは、高速道路を走行する自律走行車の機器であってよい。基地局は両方のＵＥにサービスを提供するが、第２のＵＥは、第１のＵＥと比較すると、より低いレイテンシでデータを受信する必要があり得る。第２のＵＥは、第１のＵＥより高い信頼性でデータを受信する必要もあり得る。第２のＵＥは、高信頼性低レイテンシ通信（ＵＲＬＬＣ）のＵＥであってよく、第１のＵＥは超高速モバイルブロードバンド（ｅＭＢＢ）のＵＥであってよい。
【０００６】
基地局がサービスを提供し、より低いレイテンシのダウンリンク通信を必要とするＵＥは、「低レイテンシＵＥ」と呼ばれることになる。基地局がサービスを提供するその他のＵＥは、「レイテンシ耐性ＵＥ」と呼ばれることになる。基地局から低レイテンシＵＥに送信されるデータが「低レイテンシデータ」と呼ばれることになり、基地局からレイテンシ耐性ＵＥに送信されるデータが「レイテンシ耐性データ」と呼ばれることになる。単一のＵＥが低レイテンシ通信及びレイテンシ耐性通信を両方とも用いてよく、この場合、「低レイテンシＵＥ」という用語は低レイテンシ通信を目的とした単一のＵＥの活動を指し、「レイテンシ耐性ＵＥ」という用語はレイテンシ耐性通信を目的とした単一のＵＥの活動を指す。
【０００７】
低レイテンシＵＥ及びレイテンシ耐性ＵＥの両方による同じ時間−周波数リソースの利用に対応できるフレーム構造及び基地局を有することが望ましい。
【発明の概要】
【０００８】
ダウンリンク通信に用いられるリソースが基地局によって分割され得るので、これらのリソースのある部分が低レイテンシデータのダウンリンク送信のために予約される。低レイテンシデータのダウンリンク送信のために予約されたリソースは、「低レイテンシリソース」と呼ばれることになる。
【０００９】
しかしながら、低レイテンシデータは突発的又は散発的な性質であり得、短いパケットで送信され得るので、低レイテンシリソースの全てを用いて送信する必要がある低レイテンシデータが必ずしも基地局にあるとは限らないかもしれない。したがって、１つ又は複数のレイテンシ耐性ＵＥ用のレイテンシ耐性データを低レイテンシリソースに基地局が日和見的にスケジューリングするシステム及び方法が開示される。レイテンシ耐性データが低レイテンシリソースにスケジューリングされた場合、低レイテンシリソースでのレイテンシ耐性送信が修正されたかどうかを示すのにシグナリングが用いられる。
【００１０】
１つの例として、低レイテンシリソースでのレイテンシ耐性データの送信の間に、一部の低レイテンシデータがダウンリンク送信のために基地局に到着した場合、基地局は低レイテンシリソースでの残りのレイテンシ耐性送信の一部又は全てをパンクチャリングしてよい。レイテンシ耐性送信をパンクチャリングすることで解放された低レイテンシリソースは、新たに到着した低レイテンシデータを送信するために基地局により用いられてよい。低レイテンシリソースを用いて送信されたサブフレーム内のシグナリングが、レイテンシ耐性送信がパンクチャリングされた場所をレイテンシ耐性ＵＥに通知する。１つのサブフレーム内のシグナリングは、追加的に又は代替的に、１つ又は複数の他のサブフレームのパンクチャリングをレイテンシ耐性ＵＥに通知し得る。
【００１１】
一部の実施形態によれば、低レイテンシＵＥ及びレイテンシ耐性ＵＥは効率的な方式で同じ時間−周波数リソースを用いることができ、レイテンシ耐性ＵＥは、スケジューリングされたリソースのうちのどれが低レイテンシＵＥを優先するようにパンクチャリングされているかを把握することができる。
【００１２】
１つの実施形態において、基地局によって実行される方法が開示される。本方法は、複数のリソースを用いてＵＥ用のデータを送信する段階と、データの送信の間にデータの送信を修正する段階と、データの送信が修正されていることを示すシグナリングを送信する段階とを含む。
【００１３】
別の実施形態において、ＵＥによって実行される方法が開示される。本方法は、基地局からデータを受信する段階と、データの受信と同時に、データの送信が基地局により修正されていることを示すシグナリングを受信する段階とを含む。
【００１４】
別の実施形態において、ＵＥによって実行される方法が開示される。本方法は、ダウンリンクリソースによるダウンリンク送信を基地局から受信する段階を含む。本方法はさらに、シグナリングを受信する段階を含んでもよい。このシグナリングは、少なくとも１つの他のＵＥにも送出されてよい。シグナリングは、ダウンリンクリソースのある部分のデータがパンクチャリングされていることを示し得る。ＵＥは、シグナリングに基づいてダウンリンク送信の復号を修正してよい。
【００１５】
別の実施形態において、無線通信の方法が開示される。本方法は、第１のダウンリンクリソースによるスケジューリングされた第１のダウンリンク送信を第１のＵＥに送信する段階を含む。本方法はさらに、第１のダウンリンクリソースによるスケジューリングされた第２のダウンリンク送信を第２のＵＥに送信する段階を含み得る。本方法はさらに、第１のダウンリンクリソースとは異なる第２のダウンリンクリソースによるスケジューリングされた第３のダウンリンク送信を第３のＵＥに送信する段階を含み得る。本方法はさらに、共通シグナリングを第１のＵＥ及び第２のＵＥに送信するが第３のＵＥには送信しない段階を含み得る。共通シグナリングは、第１のダウンリンク送信及び第２のダウンリンク送信のうちの少なくとも一方のある部分がパンクチャリングされていることを示し得る。本方法はさらに、第１のダウンリンク送信及び第２のダウンリンク送信のうちの少なくとも一方のパンクチャリングされている部分による第４のダウンリンク送信を第４のＵＥに送信する段階を含み得る。
【００１６】
別の実施形態において、ユーザ機器（ＵＥ）によって実行される方法が、第１のダウンリンクリソースによるダウンリンク送信を基地局から受信する段階と、シグナリングを受信する段階であって、シグナリングは少なくとも１つの他のＵＥにも送出され、シグナリングは第１のダウンリンクリソースのある部分のデータがパンクチャリングされていることを示す、段階と、シグナリングに基づいてダウンリンク送信の復号を修正する段階とを含む。
【００１７】
任意選択的に、前述の実施形態のいずれかにおいて、本方法はさらに、第１のダウンリンクリソースの時間−周波数位置を示す制御情報を半静的に受信する段階を含む。
【００１８】
任意選択的に、前述の実施形態のいずれかにおいて、本方法はさらに、受信データがダウンリンク送信を復号するのに不十分である場合、ハイブリッド自動再送要求（ＨＡＲＱ）再送信を要求する段階を含む。
【００１９】
任意選択的に、前述の実施形態のいずれかにおいて、ダウンリンク送信の復号を修正する段階は、第１のダウンリンクリソースのパンクチャリングされている部分で受信したデータのビットを無視する段階を含む。
【００２０】
任意選択的に、前述の実施形態のいずれかにおいて、ダウンリンク送信はレイテンシ耐性データのダウンリンク送信であり、本方法はさらに、レイテンシ耐性データが第１のダウンリンクリソースにスケジューリングされ、第１のダウンリンクリソースが低レイテンシデータにも用いられ得る場合、シグナリングを監視する段階を含む。
【００２１】
任意選択的に、前述の実施形態のいずれかにおいて、監視は低レイテンシ間隔ごとに行われる。
【００２２】
任意選択的に、前述の実施形態のいずれかにおいて、監視は低レイテンシ間隔のグループごとに行われる。
【００２３】
任意選択的に、前述の実施形態のいずれかにおいて、監視は低レイテンシ間隔のグループの最後の部分で行われる。
【００２４】
任意選択的に、前述の実施形態のいずれかにおいて、低レイテンシ間隔のグループの期間はレイテンシ耐性間隔より短い又はそれに等しく、レイテンシ耐性間隔はレイテンシ耐性スケジューリング間隔であり、低レイテンシ間隔は低レイテンシサブフレームである。
【００２５】
別の実施形態において、ユーザ機器（ＵＥ）が、第１のダウンリンクリソースによるダウンリンク送信を基地局から受信し且つシグナリングを受信する受信機であって、シグナリングは少なくとも１つの他のＵＥにも送出され、シグナリングは第１のダウンリンクリソースのある部分のデータがパンクチャリングされていることを示す、受信機と、シグナリングに基づいてダウンリンク送信の復号を修正するデコーダとを含む。
【００２６】
任意選択的に、前述の実施形態のいずれかにおいて、受信機はさらに、第１のダウンリンクリソースの時間−周波数位置を示す制御情報を半静的に受信する。
【００２７】
任意選択的に、前述の実施形態のいずれかにおいて、デコーダは、受信データがダウンリンク送信を復号するのに不十分である場合、ハイブリッド自動再送要求（ＨＡＲＱ）再送信を要求する。
【００２８】
任意選択的に、前述の実施形態のいずれかにおいて、デコーダは、第１のダウンリンクリソースのパンクチャリングされている部分で受信したデータのビットを無視することにより、ダウンリンク送信の復号を修正する。
【００２９】
任意選択的に、前述の実施形態のいずれかにおいて、ダウンリンク送信はレイテンシ耐性データのダウンリンク送信であり、受信機は、レイテンシ耐性データが第１のダウンリンクリソースにスケジューリングされ、第１のダウンリンクリソースが低レイテンシデータにも用いられ得る場合、シグナリングを監視する。
【００３０】
任意選択的に、前述の実施形態のいずれかにおいて、監視は低レイテンシ間隔ごとに行われる。
【００３１】
任意選択的に、前述の実施形態のいずれかにおいて、監視は低レイテンシ間隔のグループごとに行われる。
【００３２】
任意選択的に、前述の実施形態のいずれかにおいて、監視は低レイテンシ間隔のグループの最後の部分で行われる。
【００３３】
任意選択的に、前述の実施形態のいずれかにおいて、低レイテンシ間隔のグループの期間はレイテンシ耐性間隔より短い又はそれに等しく、レイテンシ耐性間隔はレイテンシ耐性スケジューリング間隔であり、低レイテンシ間隔は低レイテンシサブフレームである。
【００３４】
別の実施形態において、無線通信の方法が、第１のダウンリンクリソースによるスケジューリングされた第１のダウンリンク送信を第１のユーザ機器（ＵＥ）に送信する段階と、第１のダウンリンクリソースによるスケジューリングされた第２のダウンリンク送信を第２のＵＥに送信する段階と、第１のダウンリンクリソースとは異なる第２のダウンリンクリソースによるスケジューリングされた第３のダウンリンク送信を第３のＵＥに送信する段階と、共通シグナリングを第１のＵＥ及び第２のＵＥに送信するが第３のＵＥには送信しない段階であって、共通シグナリングは第１のダウンリンク送信及び第２のダウンリンク送信のうちの少なくとも一方のある部分がパンクチャリングされていることを示す、段階と、第１のダウンリンク送信及び第２のダウンリンク送信のうちの少なくとも一方のパンクチャリングされている部分による第４のダウンリンク送信を第４のＵＥに送信する段階とを含む。
【００３５】
任意選択的に、前述の実施形態のいずれかにおいて、本方法はさらに、第１のダウンリンクリソースの時間−周波数位置を示す制御情報を半静的に送信する段階を含む。
【００３６】
任意選択的に、前述の実施形態のいずれかにおいて、本方法はさらに、第１のダウンリンクリソースの時間−周波数位置を示す制御情報を動的に送信する段階を含む。
【００３７】
任意選択的に、前述の実施形態のいずれかにおいて、第４のダウンリンク送信は、第１のダウンリンク送信、第２のダウンリンク送信、及び第３のダウンリンク送信のうちの少なくとも１つと異なるサブキャリア間隔を有する。
【００３８】
任意選択的に、前述の実施形態のいずれかにおいて、第４のダウンリンク送信は、第１のダウンリンク送信、第２のダウンリンク送信、及び第３のダウンリンク送信のそれぞれより低レイテンシの要件を有する。
【００３９】
任意選択的に、前述の実施形態のいずれかにおいて、共通シグナリングは、第１のダウンリンクリソースのパンクチャリングされている部分の時間−周波数位置を示す。
【００４０】
任意選択的に、前述の実施形態のいずれかにおいて、共通シグナリングはビットマップを含む。
【００４１】
任意選択的に、前述の実施形態のいずれかにおいて、ビットマップは複数のビットを含み、複数のビットの各ビットは、個々の低レイテンシサブフレームに対応し、個々の低レイテンシサブフレームがパンクチャリングされているかどうかを示す。
【００４２】
任意選択的に、前述の実施形態のいずれかにおいて、共通シグナリングは、複数の低レイテンシサブフレームのそれぞれの個々の値を示し、その値は、サブフレームのどの部分がパンクチャリングされているかを示す。
【００４３】
任意選択的に、前述の実施形態のいずれかにおいて、この値は複数のビットで表される。
【００４４】
別の実施形態において、基地局が、第１のダウンリンクリソースによる第１のダウンリンク送信を第１のユーザ機器（ＵＥ）用にスケジューリングするスケジューラであって、スケジューラは、第１のダウンリンクリソースによる第２のダウンリンク送信を第２のＵＥ用にスケジューリングし、スケジューラは第１のダウンリンクリソースとは異なる第２のダウンリンクリソースによる第３のダウンリンク送信を第３のＵＥ用にスケジューリングする、スケジューラと、第１のＵＥ及び第２のＵＥ用であるが第３のＵＥ用ではない共通シグナリングを発生させるシグナリング発生器であって、共通シグナリングは第１のダウンリンク送信及び第２のダウンリンク送信のうちの少なくとも一方のある部分がパンクチャリングされていることを示し、スケジューラは第１のダウンリンク送信及び第２のダウンリンク送信のうちの少なくとも一方のパンクチャリングされている部分による第４のダウンリンク送信を第４のＵＥ用にスケジューリングする、シグナリング発生器とを含む。
【００４５】
任意選択的に、前述の実施形態のいずれかにおいて、基地局は、第１のダウンリンクリソースの時間−周波数位置を示す制御情報を半静的に送信する。
【００４６】
任意選択的に、前述の実施形態のいずれかにおいて、基地局は、第１のダウンリンクリソースの時間−周波数位置を示す制御情報を動的に送信する。
【００４７】
任意選択的に、前述の実施形態のいずれかにおいて、第４のダウンリンク送信は、第１のダウンリンク送信、第２のダウンリンク送信、及び第３のダウンリンク送信のうちの少なくとも１つと異なるサブキャリア間隔を有する。
【００４８】
任意選択的に、前述の実施形態のいずれかにおいて、第４のダウンリンク送信は、第１のダウンリンク送信、第２のダウンリンク送信、及び第３のダウンリンク送信のそれぞれより低レイテンシの要件を有する。
【００４９】
任意選択的に、前述の実施形態のいずれかにおいて、共通シグナリングは、第１のダウンリンク送信及び第２のダウンリンク送信のうちの少なくとも一方のパンクチャリングされている部分の時間−周波数位置を示す。
【００５０】
任意選択的に、前述の実施形態のいずれかにおいて、共通シグナリングは、第１のダウンリンクリソースのパンクチャリングされている部分の時間−周波数位置を示す。
【００５１】
任意選択的に、前述の実施形態のいずれかにおいて、共通シグナリングはビットマップを含む。
【００５２】
任意選択的に、前述の実施形態のいずれかにおいて、ビットマップは複数のビットを含み、複数のビットの各ビットは、個々の低レイテンシサブフレームに対応し、個々の低レイテンシサブフレームがパンクチャリングされているかどうかを示す。
【００５３】
任意選択的に、前述の実施形態のいずれかにおいて、共通シグナリングは、複数の低レイテンシサブフレームのそれぞれの個々の値を示し、その値は、サブフレームのどの部分がパンクチャリングされているかを示す。
【００５４】
任意選択的に、前述の実施形態のいずれかにおいて、この値は複数のビットで表される。
【図面の簡単な説明】
【００５５】
複数の実施形態が、添付図を参照して単に例として説明される。
【００５６】
【図１】１つの実施形態による基地局及び４つのＵＥのブロック図である。
【００５７】
【図２】低レイテンシリソースをより詳細に例示し、レイテンシ耐性データの日和見スケジューリングを図示する。
【図３】低レイテンシリソースをより詳細に例示し、レイテンシ耐性データの日和見スケジューリングを図示する。
【図４】低レイテンシリソースをより詳細に例示し、レイテンシ耐性データの日和見スケジューリングを図示する。
【図５】低レイテンシリソースをより詳細に例示し、レイテンシ耐性データの日和見スケジューリングを図示する。
【図６】低レイテンシリソースをより詳細に例示し、レイテンシ耐性データの日和見スケジューリングを図示する。
【図７】低レイテンシリソースをより詳細に例示し、レイテンシ耐性データの日和見スケジューリングを図示する。
【図８】低レイテンシリソースをより詳細に例示し、レイテンシ耐性データの日和見スケジューリングを図示する。
【００５８】
【図９】１つの実施形態による、基地局及びＵＥによって実行される方法である。
【００５９】
【図１０】１つの実施形態による、ＵＥによって実行される方法である。
【００６０】
【図１１】別の実施形態による、基地局によって実行される方法である。
【発明を実施するための形態】
【００６１】
ここで例示目的のために、特定の例示的な実施形態が複数の図と共に以下でより詳細に説明される。
【００６２】
図１は、１つの実施形態による、基地局１００並びに基地局１００がサービスを提供する４つのＵＥである１０２ａ、１０２ｂ、１０４ａ、及び１０４ｂのブロック図である。ＵＥ１０２ａ及び１０２ｂは低レイテンシＵＥであり、ＵＥ１０４ａ及び１０４ｂはレイテンシ耐性ＵＥである。すなわち、ＵＥ１０２ａ及び１０２ｂは、ＵＥ１０４ａ及び１０４ｂと比較すると、より低いレイテンシのダウンリンク通信を必要とする。例えば、ＵＥ１０２ａ及び１０２ｂはＵＲＬＬＣのＵＥであってよく、ＵＥ１０４ａ及び１０４ｂはｅＭＢＢのＵＥであってよい。基地局１００は図１において４つのＵＥにしかサービスを提供しないが、実際の運用では、基地局１００はさらに多くのＵＥにサービスを提供してよい。単一のＵＥ１０２、１０４が２個以上の基地局１００によってサービスを提供され得ることも企図されている。通常、レイテンシ耐性ＵＥへのダウンリンク送信はグラントベースであるが、グラントフリーであってもよい。また、低レイテンシＵＥへのダウンリンク送信は、グラントベースでも、又はグラントフリーでもよい。基地局１００は代替的に、同じ又は異なるセルに属して同じ又は異なる搬送波周波数を用いる基地局のグループを表してもよい。送信は、認可周波数帯又は無認可周波数帯の、周波数分割複信方式又は時分割複信方式又は統合複信方式のフレームのいずれかで行われ得る。
【００６３】
基地局１００は、基地局１００がサービスを提供する複数のＵＥに送出されるデータを格納するキュー１０８を含む。キュー１０８は、メモリ、例えば物理レジスタによって実装されてよい。基地局１００はさらに、利用可能なリソースにＵＥをスケジューリングするスケジューラ１１０を含む。基地局１００はさらに、誤り制御符号器１１４、レートマッチャ１１６、変調器１１８、及びリソースマッパー１２０などのダウンリンク物理層を実装する処理ブロックを含む。基地局１００のダウンリンク物理層はさらに、低レイテンシリソースで送出されているレイテンシ耐性データ送信を修正する送信修正器１２１を含む。基地局１００のダウンリンク物理層は他の処理ブロックも含み得るが、これらの処理ブロックは明確さを目的に省略されている。
【００６４】
基地局１００はさらに、１つ又は複数のインジケータシーケンスなどのシグナリングを発生させるためのシグナリング発生器１１２を含み、これは後述されるインジケーションを提供する。
【００６５】
ダウンリンク物理層への入力は、キュー１０８からのデータ並びにパイロットシーケンス及びインジケータシーケンスを含み、これらの全ては最終的にリソースマッパー１２０を用いてリソースにマッピングされる。
【００６６】
スケジューラ１１０、シグナリング発生器１１２、誤り制御符号器１１４、レートマッチャ１１６、変調器１１８、リソースマッパー１２０、及び送信修正器１２１はそれぞれ、プロセッサにより実現されてよく、プロセッサは、スケジューラ１１０、シグナリング発生器１１２、誤り制御符号器１１４、レートマッチャ１１６、変調器１１８、リソースマッパー１２０、及び送信修正器１２１のオペレーションをプロセッサに行わせる命令を実行する。同じ又は異なるプロセッサが、スケジューラ１１０、シグナリング発生器１１２、誤り制御符号器１１４、レートマッチャ１１６、変調器１１８、リソースマッパー１２０、及び送信修正器１２１のそれぞれを実現するのに用いられてよい。代替的に、スケジューラ１１０、シグナリング発生器１１２、誤り制御符号器１１４、レートマッチャ１１６、変調器１１８、リソースマッパー１２０、及び／又は送信修正器１２１は、スケジューラ１１０、シグナリング発生器１１２、誤り制御符号器１１４、レートマッチャ１１６、変調器１１８、リソースマッパー１２０、及び／又は送信修正器１２１の機能を実行するために、特定用途向け集積回路（ＡＳＩＣ）、画像処理装置（ＧＰＵ）、又はプログラムされたフィールドプログラマブルゲートアレイ（ＦＰＧＡ）などの専用集積回路を用いて実現されてもよい。
【００６７】
基地局１００はさらに、ＵＥ１０２ａ、１０２ｂ、１０４ａ、及び１０４ｂ用のデータを搬送する信号を無線で送信する１つ又は複数のアンテナ１２２を含む。１つのアンテナ１２２だけが図示されている。１つ又は複数のアンテナ１２２、及びダウンリンク物理層の複数の処理ブロックの一部又は全てによって、送信機が形成されてよい。基地局１００は、他の機能を実行する他の回路及び／又はモジュール、例えばアップリンク送信を受信する受信機を含み得るが、これらは明確さを目的に省略されている。
【００６８】
「基地局」という単語は、ダウンリンクでデータをＵＥに無線で送信するあらゆるデバイスを包含している。したがって、一部の実施例において、基地局１００は、ベーストランシーバ基地局、無線基地局、ネットワークノード、アクセスポイント、送信ノード、ＮｏｄｅＢ、進化型ノードＢ（「ｅＮｏｄｅＢ」）、中継局、リモート無線ヘッド、送信ポイント、又は送受信ポイントなどの他の名前で呼ばれることがある。また、一部の実施形態において、基地局１００の機能は分散していてもよい。例えば、基地局１００のモジュール又は処理ブロックの一部（例えば、スケジューラ１１０、シグナリング発生器１１２、及び／又は送信修正器１２１）が、基地局１００の１つ又は複数のアンテナ１２２を収容する機器から遠く離れて配置されてもよく、アンテナ１２２を収容する機器に通信リンク（不図示）を介して連結されてもよい。したがって、一部の実施形態において、基地局１００という用語は、スケジューリング及びメッセージ発生などの処理オペレーションを実行するが、必ずしも基地局１００のアンテナ１２２を収容する機器の一部ではないネットワーク側のモジュール又は処理ブロックを指してもよい。これらのモジュール又は処理ブロックも他の基地局に連結され得る。一部の実施形態において、基地局１００は実際には、例えば協調マルチポイント送信を通じて、ＵＥ１０２ａ、１０２ｂ、１０４ａ、及び１０４ｂにサービスを提供するように共に動作している複数の基地局であってよい。
【００６９】
基地局１００がＵＥ１０２ａ、１０２ｂ、１０４ａ、及び／又は１０４ｂに送信するデータを有する場合、基地局１００はこのデータを、配分されたリソース、例えば時間−周波数リソースを用いて１つ又は複数のダウンリンク送信１２４で送信する。時間−周波数リソースの一例が１２６に示されている。例示的な特定のリソースパーティションがＵＥ１０２ａ、１０２ｂ、１０４ａ、及び１０４ｂへの送信用に割り当てられるものとして示されている。
【００７０】
時間−周波数リソース１２６の部分１２８又は領域が低レイテンシデータのダウンリンク送信に予約又は用いられ、この部分１２８は低レイテンシリソースと呼ばれることになる。低レイテンシデータの送信に予約又は用いられる時間−周波数領域１２８は、以下で説明するように、レイテンシ耐性データの送信にも用いられ得る。時間−周波数リソース１２６のその他の部分１３０又は領域は、低レイテンシデータのダウンリンク送信には用いられず、この部分１３０はレイテンシ耐性リソースと呼ばれることになる。低レイテンシリソース１２８は、レイテンシ耐性リソース１３０とは別の周波数範囲として図示されているが、低レイテンシリソース１２８及びレイテンシ耐性リソース１３０は、代替的に同じ周波数範囲にあってもよい。また、低レイテンシリソース１２８として予約されるリソースの部分は、例えば、トラフィック負荷、帯域幅要件、及びレイテンシなどの要因に基づいて、時間と共に動的に又は半静的に変化してよい。
【００７１】
低レイテンシリソース１２８は、複数のサブフレームに分割されてよい。低レイテンシリソースのサブフレームは、「低レイテンシサブフレーム」と呼ばれることになる。低レイテンシサブフレーム期間の一例が１４２に示されている。低レイテンシサブフレーム期間は、実施形態に応じて、１つの送信時間単位（ＴＴＵ）に等しくても又は複数のＴＴＵを包含してもよい。ＴＴＵは、特定のタイプの送信、例えば低レイテンシデータ送信に配分することができる時間の最小単位である。したがって、本明細書では「低レイテンシサブフレーム」が用いられるが、サブフレームがＴＴＵと同じ期間を有する実施形態では、同じ意味で「低レイテンシＴＴＵ」と呼ばれることがある。また、ＴＴＵは、送信時間間隔（ＴＴＩ）と呼ばれこともある。
【００７２】
レイテンシ耐性リソース１３０は、複数のスケジューリング間隔に分割されてよく、レイテンシ耐性リソース１３０のスケジューリング間隔は、「レイテンシ耐性ＵＥのスケジューリング間隔」と呼ばれることになる。レイテンシ耐性ＵＥのスケジューリング間隔の一例が１４４に示されている。レイテンシ耐性ＵＥのスケジューリング間隔は、データ送信用にレイテンシ耐性ＵＥにスケジューリングされ得る時間の最小間隔である。
【００７３】
低レイテンシサブフレームは、レイテンシ耐性ＵＥのスケジューリング間隔より短い期間を有する。より短い期間のサブフレームを低レイテンシリソース１２８で送信することにより、低レイテンシＵＥへのデータ送信のレイテンシは低減され得る。低レイテンシサブフレームが、ｘ個のシンボル又はスロットを有してよく、ｘは１以上の整数である。
【００７４】
一部の実施形態において、低レイテンシリソース１２８は、レイテンシ耐性リソース１３０の無線パラメータ（ｎｕｍｅｒｏｌｏｇｙ）とは異なる無線パラメータを有し、例えば、低レイテンシリソース１２８のサブキャリア間隔はレイテンシ耐性リソース１３０のサブキャリア間隔と異なる。低レイテンシリソース１２８は、レイテンシ耐性リソース１３０のサブキャリア間隔より大きいサブキャリア間隔を有してよい。例えば、低レイテンシリソース１２８のサブキャリア間隔は６０ｋＨｚであってよく、レイテンシ耐性リソース１３０のサブキャリア間隔は１５ｋＨｚであってよい。より大きいサブキャリア間隔を用いることにより、低レイテンシリソース１２８の各ＯＦＤＭシンボルの期間は、レイテンシ耐性リソース１３０の各ＯＦＤＭシンボルの期間より短くなる。サブフレームが無線パラメータに関係なく固定数のＯＦＤＭシンボルを有すると定められた場合、２個以上の低レイテンシサブフレームがレイテンシ耐性ＵＥのスケジューリング間隔に含まれることになる。例えば、レイテンシ耐性ＵＥのスケジューリング間隔は、整数倍の低レイテンシサブフレームになり得る。他の実施形態において、低レイテンシリソース１２８及びレイテンシ耐性リソース１３０は同じ無線パラメータを有する。レイテンシ耐性ＵＥのスケジューリング間隔内に依然として２個以上の低レイテンシサブフレームがあるように、低レイテンシサブフレームが、レイテンシ耐性ＵＥのスケジューリング間隔のＯＦＤＭシンボルの数と比較して、より少ないＯＦＤＭシンボルを有すると定められてよい。例えば、低レイテンシサブフレームの期間は、単一のＯＦＤＭシンボルと同じ程度に短くてよい。低レイテンシ送信及びレイテンシ耐性送信は、同じ無線パラメータを有しているかどうかに関係なく、サブフレームごとに同じ数のシンボルを有していなくてよいことも企図されている。例えば、サブフレームが、サブフレーム内のＯＦＤＭシンボルの数又は無線パラメータに関係なく、１ミリ秒と定められてよい。
【００７５】
図１に示す例示的な時間−周波数リソース１２６では、特定のリソースパーティションがＵＥ１０２ａ、１０２ｂ、１０４ａ、及び１０４ｂへの送信に割り当てられる。しかしながら、図示されたリソースパーティションは単なる一例にすぎない。また、時間−周波数リソースに加えて、符号リソース、電力リソース、及び／又は空間リソースなどの他のリソースがＵＥ１０２ａ、１０２ｂ、１０４ａ、及び１０４ｂへの送信に配分されてよい。
【００７６】
動作の際には、基地局１００からＵＥに送信されるデータがキュー１０８に格納される。特定のダウンリンク送信では、基地局１００がサービスを提供している個々のＵＥに利用可能なリソースをスケジューラ１１０が割り当てる。低レイテンシＵＥへ向かう低レイテンシデータは、低レイテンシリソース１２８で送信され、レイテンシ耐性ＵＥへ向かうレイテンシ耐性データは通常、レイテンシ耐性リソース１３０にスケジューリングされる。スケジューラ１１０はアルゴリズムを用いて、どのリソースをどのＵＥに割り当てるべきかを判定する。低レイテンシトラフィックにリソースを割り当てるためにスケジューラ１１０により用いられ得るアルゴリズムの一例が、低レイテンシトラフィックのレイテンシ制約条件を考慮する遅延ベースのアルゴリズムである。レイテンシ耐性トラフィックだけが存在する場合、及び／又はレイテンシ耐性データが低レイテンシリソースにスケジューリングされている場合、比例公平（ＰＦ）スケジューリングアルゴリズムが用いられてよい。１つの実施形態において、低レイテンシデータ及びレイテンシ耐性データの両方が基地局１００においてスケジューリングに利用可能である場合、スケジューラ１１０は、遅延を考慮したスケジューリングを使用して、次の送信機会のためにレイテンシ耐性データを保留する。一部の実施形態において、スケジューラ１１０は、制約条件がない限り、レイテンシ耐性データをリソース領域１２８及び／又はリソース領域１３０にスケジューリングしてよい。例えば、低レイテンシリソース領域１２８の一部が空である、すなわち、低レイテンシデータがダウンリンク送信にスケジューリングされていないとスケジューラ１１０が判定した場合、スケジューラ１１０はレイテンシ耐性データをそこに日和見的にスケジューリングすることができる。レイテンシ耐性データパケットは通常、低レイテンシデータパケットより大きい。したがって、レイテンシ耐性データパケットが低レイテンシリソース１２８にスケジューリングされる場合、レイテンシ耐性データのスケジューリングは、複数の低レイテンシサブフレームにわたってスケジューリングすることを含み得る。一部の実施形態において、レイテンシ耐性データがスケジューリングされる低レイテンシサブフレームの数は、レイテンシ耐性送信の物理ダウンリンク制御チャネル（ＰＤＣＣＨ）に示され得る。後述するように、レイテンシ耐性トラフィックにスケジューリングされた複数の低レイテンシサブフレームのうちの１つ又は複数が、低レイテンシトラフィックに用いられてよく、この結果として、スケジューリングされたレイテンシ耐性データのパンクチャリング／プリエンプションをもたらし得る。レイテンシ耐性ＵＥは、低レイテンシリソースにスケジューリングされた場合、インジケーション制御（例えば、後述するインジケータシーケンス）を監視するように構成され得る。
【００７７】
リソースパーティションがＵＥに割り当てられる場合、当該ＵＥに対応するキューから適切な数のビットが除去され、ダウンリンク物理層に送出される。誤り制御符号器１１４は、誤り制御符号を用いてビットを符号化して、符号化ビットを生じさせる。誤り制御符号器１１４により適用され得る誤り制御符号の１つの例が、ターボ符号である。誤り制御符号器１１４から出力された符号化ビットは、レートマッチャ１１６においてレートマッチングの対象になり得る。レートマッチャ１１６は、トランスポートブロック内のビットの数を所与の配分で送信され得るビットの数に一致させてよい。またレートマッチングは、サブブロックのインターリーブ、ビット収集、及び／又はプルーニングを含んでよい。変調器１１８は、符号化ビットを変調して、変調シンボルを発生させる。リソースマッパー１２０は、ＵＥに割り当てられたリソースに変調シンボルをマッピングする。パイロットシーケンス及び後述するインジケータシーケンスも、リソースマッパー１２０によってリソースにマッピングされる。
【００７８】
ＵＥ１０４ａは、図１により詳細に図示されており、ダウンリンク送信１２４を受信する１つ又は複数のアンテナ１５２を含む。１つのアンテナ１５２だけが図示されている。ＵＥ１０４ａは、受信したダウンリンク送信１２４を処理する受信機１５４を含む。例えば、受信機１５４は、ＵＥ１０４ａへ向かうデータ、パイロットシーケンス、及びシグナリングを抽出するために、復号及び復調などの、ダウンリンク物理層処理を実現し得る。復号を行うデコーダ１５５が図示される。シグナリング抽出器１５６が受信機１５４に連結されるか又は受信機１５４と統合される。シグナリング抽出器１５６は、基地局１００により送信された、低レイテンシリソースでのレイテンシ耐性送信の修正を示すシグナリングを抽出する。例えば、抽出されたシグナリングは、以下で詳細に論じるインジケータシーケンスであってよい。
【００７９】
受信機１５４、デコーダ１５５、及びシグナリング抽出器１５６はそれぞれ、受信機１５４、デコーダ１５５、及びシグナリング抽出器１５６のオペレーションをプロセッサに行わせる命令を実行するプロセッサによって実現され得る。同じ又は異なるプロセッサが、受信機１５４、デコーダ１５５、及びシグナリング抽出器１５６のそれぞれを実現するのに用いられてよい。代替的に、受信機１５４、デコーダ１５５、及び／又はシグナリング抽出器１５６は、受信機１５４、デコーダ１５５、及び／又はシグナリング抽出器１５６の機能を実行するＡＳＩＣ、ＧＰＵ、又はＦＰＧＡなどの専用集積回路を用いて実現されてよい。ＵＥ１０４ａは、他の機能を実行する他の回路及び／又はモジュール、例えば、アップリンク送信を送信する送信機を含み得るが、これらは明確さを目的に省略されている。ＵＥ１０４ｂは、ＵＥ１０４ａと同様の構造を有する。
【００８０】
低レイテンシデータは突発的又は散発的な性質であり得、短いパケットで送信され得る。低レイテンシトラフィックに予約された低レイテンシリソース１２８の全てを用いて送信する必要がある低レイテンシデータが、必ずしも基地局１００のキュー１０８にあるとは限らないかもしれない。したがって、基地局１００は、レイテンシ耐性ＵＥのレイテンシ耐性データを低レイテンシリソース１２８に日和見的にスケジューリングしてよい。
【００８１】
図２は、低レイテンシリソース１２８の一部をより詳細に例示し、レイテンシ耐性データの日和見スケジューリングを図示する。レイテンシ耐性ＵＥの１つのスケジューリング間隔に等しい時間の期間が図示されている。４つの低レイテンシサブフレームが、レイテンシ耐性ＵＥの単一のスケジューリング間隔に含まれる。これは単なる一例である。より多い又はより少ない低レイテンシサブフレームが、レイテンシ耐性ＵＥの単一のスケジューリング間隔に含まれてよい。
【００８２】
図２では、領域１２８の中に１つのレイテンシ耐性送信と２つの低レイテンシ送信とをスケジューリングする一例が示されている。しかしながら、時間−周波数領域１２８の中に、異なるスケジューリング間隔でスケジューリングされた他のレイテンシ耐性送信及び低レイテンシ送信が存在し得る。領域１２８の構成は、レイテンシ耐性トラフィック及び低レイテンシトラフィックの両方がこの領域内で送信され得ることを意味する。任意選択的に、例えば、同様のトラフィックタイプを受信するＵＥは同じ又は異なるスケジューリング間隔を有するといった、他の制約条件が課せられることはない。
【００８３】
図２に示す例において、基地局１００は、ＵＥ１０２ａ、１０２ｂ、及び１０４ａに送出するデータを有する。ＵＥ１０２ａ及び１０２ｂは、それぞれ１６２及び１６４で示すように、低レイテンシリソース１２８にスケジューリングされている。リソース利用率を向上させるために、ネットワークは、未使用のリソースがあり得、且つ低レイテンシトラフィックが散発的であるという事実を利用してよい。したがって、基地局１００は、レイテンシ耐性ＵＥ１０４ａへのレイテンシ耐性データの送信を、１６６で示すように、未使用の低レイテンシリソースの一部にもスケジューリングする。ＵＥ１０４ａへのデータ送信にスケジューリングされるリソース量は、４つの低レイテンシサブフレームに及ぶレイテンシ耐性ＵＥの少なくとも１つのスケジューリング間隔である。
【００８４】
４つの低レイテンシサブフレームに相当する期間のスケジューリング間隔を割り当てられているＵＥ１０４ａは、単なる一例であることに留意されたい。レイテンシ耐性トラフィックを受信する異なるＵＥ、例えば、ＵＥ１０４ｂ（図２には示されていない）が、３つの低レイテンシサブフレームのスケジューリング間隔などを割り当てられてもよい。低レイテンシサブフレームが２つのＯＦＤＭシンボルを含む場合、ＵＥ１０４ａ及びＵＥ１０４ｂのスケジューリング間隔は、それぞれ８つ及び６つのＯＦＤＭシンボルである。
【００８５】
低レイテンシデータ送信及びレイテンシ耐性データ送信の両方が行われ得る時間−周波数リソース１２８は、次のように更新されてよい。すなわち、ｉ）半静的な更新であり、これは、時間−周波数リソース１２８が半静的に構成され得、その構成は、例えば、無線リソース制御（ＲＲＣ）シグナリング又はシステム情報といった上位層のシグナリングでＵＥに通知されることを意味する、及び／又はｉｉ）動的な更新であり、これは、時間−周波数リソース１２８が、例えばダウンリンク制御情報（ＤＣＩ）でＵＥに動的に示される、すなわち、ＤＣＩは両方のトラフィックをスケジューリング又は送信することができる時間−周波数領域の更新／アクティブ化／非アクティブ化を行い得ることを意味する。
【００８６】
図３は、ＯＦＤＭシンボル間の境界が図示されていることを除いて、図２と同じである。図３の例では、各低レイテンシサブフレームが７つのＯＦＤＭシンボルで構成されている。
【００８７】
レイテンシ耐性ＵＥのデータ送信が、図２及び図３にあるように、低レイテンシリソース１２８に日和見的にスケジューリングされる場合、低レイテンシトラフィックの所望のレイテンシ特性を維持するために、また相互干渉を軽減して全てのトラフィックの信頼性を保証するために、この共存を制御する方法が用いられ得る。例えば、レイテンシ耐性データ送信が低レイテンシリソース１２８にスケジューリングされた場合、容認できない量のレイテンシをもたらすことがあり、これにより、レイテンシ耐性データ送信が完了するまで、新たに到着した低レイテンシデータの遅延が生じる。１つの可能性は、基地局が残りのレイテンシ耐性データ送信の一部又は全てをパンクチャリングして、低レイテンシリソースを解放し、新たに到着した低レイテンシデータの送信を可能にすることである。しかしながら、データがパンクチャリングされているレイテンシ耐性ＵＥはパンクチャリングを把握しているはずなので、自らの送信の一部として低レイテンシデータを復号しようとすることはなく、その結果、復号誤りとＨＡＲＱ再送信数の増加とをもたらし得る。
【００８８】
レイテンシ耐性トラフィック及び低レイテンシトラフィックの両方が時間−周波数領域１２８にスケジューリングされ得、低レイテンシ送信が代わりに送出されてよいようにレイテンシ耐性送信がパンクチャリングされ得るので、時間−周波数領域１２８は代替的に、共存領域又はプリエンプション領域又はプリエンプション／パンクチャリングインジケーション領域又は過密領域と呼ばれることがある。
【００８９】
複数の実施形態が以下に開示され、それらの実施形態では、低レイテンシサブフレーム内のシグナリングが、低レイテンシリソースでのレイテンシ耐性送信に関する修正があったことをレイテンシ耐性ＵＥに示す。一部の実施形態において、低レイテンシサブフレーム内のシグナリングは、パンクチャリング情報を通知するシグナリングが低レイテンシサブフレームごとに、例えば３つのＯＦＤＭシンボルごとに送信され得ることを意味する。シグナリングは、低レイテンシサブフレームの最初の部分、又はレイテンシ耐性スケジューリング間隔内の任意の好適な位置、例えばレイテンシ耐性スケジューリング間隔の最後の部分などにあってよい。レイテンシ耐性間隔は、領域１２８の低レイテンシサブフレームより長い期間に及ぶ任意の所与の間隔であってよい。後述する実施形態において、シグナリングはＯＦＤＭシンボルの一部として送信されるインジケータシーケンスの形であるか、又はインジケーション制御信号が監視される検索空間はシンボルのグループを含んでよい。インジケータシーケンスは、レイテンシ耐性ＵＥがトランスポートブロックを復号するときに適切な対応を取ることができるように、どの修正が行われたかをレイテンシ耐性ＵＥに通知する。
【００９０】
したがって、ダウンリンク送信が低レイテンシリソース１２８と重複するか又は低レイテンシリソース１２８で送出されるレイテンシ耐性ＵＥは、インジケーション制御シグナリングを監視する必要があり得る。インジケーション制御シグナリングは、低レイテンシ送信がレイテンシ耐性送信の一部をパンクチャリングすることに起因した、レイテンシ耐性ＵＥのダウンリンク送信のあらゆる修正をレイテンシ耐性ＵＥに通知する。一部の実施形態において、低レイテンシリソース１２８は、時間と共に動的に又は半静的に変化する。一部の実施形態において、低レイテンシリソース１２８にスケジューリングされたレイテンシ耐性ＵＥは、インジケーション制御シグナリングを監視するよう動的に又は半静的に構成され得る。
【００９１】
また、「インジケーション制御」、「インジケータシーケンス」、及び「インジケーション制御シグナリング」といった専門用語は、本明細書では同じ意味で用いられている。さらに、「パンクチャリング」及び「プリエンプト」は、本明細書では同じ意味を含む。プリエンプトされたあらゆるデータは、データが元々スケジューリングされたリソースで送出されないという点でパンクチャリングされている。逆もまた真である。すなわち、パンクチャリングされたあらゆるデータは、データが元々スケジューリングされたリソースで送出されないという点でプリエンプトされている。プリエンプトされたデータは、後の時間−周波数リソースで送出されてもよく又は送出されなくてもよい。
【００９２】
図４は、ハッチングで示す低レイテンシリソースのパーティション１７２がレイテンシ耐性データの送信のためにレイテンシ耐性ＵＥ１０４ａに配分されている状況を図示している。スケジューリングされた期間は、レイテンシ耐性ＵＥのスケジューリング間隔に等しい。実施に際しては、レイテンシ耐性ＵＥのいくつかのスケジューリング間隔がＵＥ１０４ａに割り当てられてよいが、図４にはレイテンシ耐性ＵＥの１つのスケジューリング間隔だけが図示されている。
【００９３】
レイテンシ耐性ＵＥのスケジューリング間隔は、４つの低レイテンシサブフレームを包含する。第１の低レイテンシサブフレームの第１のＯＦＤＭシンボルは、１７６で示されており、この例ではＵＥ１０４ａ用のインジケータシーケンスを何も含まない。代わりに、ＵＥ１０４ａは、別の制御情報（不図示）によって、ＵＥ１０４ａがパーティション１７２での送信を受信することを通知される。制御情報は、第１の低レイテンシサブフレームの第１の１つ若しくはいくつかのＯＦＤＭシンボルに存在し得るか、又は制御情報は他の場所に、例えばレイテンシ耐性リソースパーティション１３０若しくは別のチャネルに配置され得る。
【００９４】
第２の低レイテンシサブフレームの第１のＯＦＤＭシンボルは、第２の低レイテンシサブフレームにレイテンシ耐性送信の修正がないことを示すインジケータシーケンス１７８を含む。
【００９５】
第２の低レイテンシサブフレームの間に、低レイテンシＵＥ、例えばＵＥ１０２ａ及び／又はＵＥ１０２ｂに送信されるデータが基地局に到着する。基地局１００は、１８０で示すように、第３及び第４の低レイテンシサブフレーム内のレイテンシ耐性データの一部をパンクチャリングする。このパンクチャリングは以下の通りに行われる。すなわち、低レイテンシリソースで送信されるようにスケジューリングされたレイテンシ耐性データのビットは、これらのリソースで送信されない。これにより、低レイテンシ送信用にリソースが解放される。
【００９６】
第３の低レイテンシサブフレームの第１のＯＦＤＭシンボルに配置された別のインジケータシーケンス１８２が、レイテンシ耐性データが修正されていることを示す。インジケータシーケンス１８２は、レイテンシ耐性データがどのように修正されているか、例えば、どのデータがパンクチャリングされているかを示す情報も提供する。それに応じてＵＥ１０４ａは次に、例えば、ＵＥ１０４ａが復号しようとするデータからパンクチャリングされたデータを除くことにより対応してよい。
【００９７】
図４に示したシナリオは単なる一例であり、複数の変形例があり得る。代替実施形態において、インジケータシーケンス１８２は、どのデータが第３の低レイテンシサブフレームにおいてパンクチャリングされているかだけを示す。別のインジケータシーケンスは、第４の低レイテンシサブフレームの第１のＯＦＤＭシンボルに含まれてもよく、このインジケータシーケンスは、どのデータが第４の低レイテンシサブフレームにおいてパンクチャリングされているかを示す。第１の低レイテンシサブフレームを除く各低レイテンシサブフレームの最初の部分にインジケータシーケンスがあることで、基地局１００は、ｋ番目の低レイテンシサブフレームの間に、レイテンシ耐性データ送信が（ｋ＋１）番目の低レイテンシサブフレームにおいて（修正されるとしても）どのように修正されるかを動的に判定することが可能になり得る。インジケーションは次に、図４の（ｋ＋１）番目の低レイテンシサブフレームの間に送出される。
【００９８】
一部の実施形態において、低レイテンシサブフレームは、１つのＯＦＤＭシンボルと同じ程度に短くてよく、各ＯＦＤＭシンボルにインジケータが提供されてよい。代替的に、各ＯＦＤＭシンボルにインジケータが提供される代わりに、レイテンシ耐性スケジューリング間隔の最後の部分で単一のインジケータが提供されてもよく、これについては、図８に関連して後述される。
【００９９】
代替実施形態において、インジケータシーケンスは、レイテンシ耐性送信が次の１つ又は複数のサブフレームでどのように修正されているかも示し得る。一例が図６に関連して後述される。
【０１００】
一部の実施形態において、低レイテンシサブフレームの第１のＯＦＤＭシンボルにインジケータシーケンスがないことは、その低レイテンシサブフレームにはレイテンシ耐性データ送信の修正がないというインジケーションとして、ＵＥ１０４ａにより扱われる。例えば、インジケータシーケンスのために予約された位置にデータが送信されていない場合、これは、レイテンシ耐性データ送信に修正がないというインジケーションとして解釈されることがある。別の例において、インジケータシーケンスのために予約された位置に、有効なインジケータシーケンスに対応していないビットシーケンスが含まれている場合、このシーケンスは、レイテンシ耐性データ送信の修正がないというインジケーションとして解釈されることがある。このシーケンスは任意選択的に、レイテンシ耐性データ送信の一部として復号され得るデータも含むことがある。インジケーション用に構成されたリソースでのデータ送信は、インジケーションを監視しているＵＥ又は異なるＵＥのうちの１つ又は複数のためであってよい。インジケーションが間隔の最後の部分で送出されるように構成されている場合、同様のＵＥ挙動が適用される。インジケーションがない場合、又は間隔の最後の部分でインジケーションを送信するのに用いられるリソースにおいて無効ビットシーケンスを復号した場合、これは、レイテンシ耐性データ送信の修正がなかったことを意味する。インジケーションが送出されない場合、インジケーションが送出されないリソースは、任意のダウンリンクデータ又は制御送信に用いられ得る。
【０１０１】
一部の実施形態において、インジケータシーケンスに用いられるダウンリンクリソースが単にインジケータシーケンスのために予約されているのではなく、代わりに、インジケータシーケンスと他のタイプの制御及び／又はデータとの間で動的に共有される場合、インジケータシーケンスのブラインドデコーディングがＵＥ１０４ａにより行われてよい。
【０１０２】
一部の実施形態において、レイテンシ耐性スケジューリング間隔内の残りのレイテンシ耐性データがパンクチャリングされていることをＵＥ１０４ａに通知するインジケータシーケンスが用いられてよい。ＵＥ１０４ａがこのインジケータを受信した場合、ＵＥ１０４ａは、そのスケジューリング間隔で受信したデータのバッファリングを停止してよい。ＵＥ１０４ａは次に、受信データが送信を復号するのに不十分だった場合、データのハイブリッド自動再送要求（ＨＡＲＱ）再送信を要求してよい。
【０１０３】
図４には、各インジケータシーケンスが、ＯＦＤＭシンボル内に分散したリソースエレメントグループにマッピングされたものとして図示されている。そのため、インジケータシーケンス１７８及び１８２はそれぞれ、４つの別個の黒いブロックを含むものとして図示されている。分散したリソースエレメントグループにインジケータシーケンスをマッピングすることで、ロバスト性が向上し得る。代替実施形態において、インジケータシーケンス１７８及び１８２は、必要な信頼性レベルに応じて、分散したリソースエレメントグループにマッピングされていなくてもよいかもしれない。したがって、インジケーション制御情報を含むリソースセットは、連続的な又は非連続的なリソースエレメントグループを含み得る。
【０１０４】
図４では、低レイテンシＵＥに送信されるデータが到着すると、レイテンシ耐性データ送信は修正される。代替的に又は追加的に、レイテンシ耐性データ送信は、より多くの低レイテンシＵＥが低レイテンシリソースを必要とすることを示す、基地局１００で受信された情報に基づいて修正されてよい。低レイテンシＵＥの負荷が増加した場合、基地局１００はより多くの低レイテンシデータ送信の準備をする必要があり得るので、レイテンシ耐性データ送信は、低レイテンシリソースを解放するように修正され得る。
【０１０５】
図４において、レイテンシ耐性データ送信は、１８０で示すように、レイテンシ耐性データ送信をパンクチャリングすることにより修正される。レイテンシ耐性データ送信は他のやり方で修正されてもよい。別の例として、レイテンシ耐性データ送信は、レイテンシ耐性データ送信を送出するのに必要なリソース量を低減させるために、レートマッチングを用いて修正されてもよい。別の例として、レイテンシ耐性データ送信に配分される電力が低減され得るので、低レイテンシデータ送信を同じ時間−周波数リソースにわたって送出することができる。例えば、レイテンシ耐性送信に配分される電力は、総電力の３３％に低減されてよく、総電力のその他の６７％は、同じ時間−周波数リソースにわたって低レイテンシデータ送信を行うのに用いられてよい。
【０１０６】
レイテンシ耐性データ送信がどのように修正されているかを示す情報をインジケータシーケンスがＵＥ１０４ａに提供するので、ＵＥ１０４ａは適切な対応を取ることができる。インジケータシーケンスでＵＥ１０４ａに提供される情報は、レイテンシ耐性データ送信が修正されていることをＵＥ１０４ａが認識していない場合と比較して、又はレイテンシ耐性データ送信がどのように修正されているかをＵＥ１０４ａが認識していない場合と比較して、より少ないＨＡＲＱ再送信をトリガし得る。インジケータシーケンスを送信するためのオーバーヘッドは、例えば、散発的な低レイテンシトラフィックによる突発的な干渉に対する保護の形として、全てのコードブロックに巡回冗長検査（ＣＲＣ）を追加した場合と比較して少なくてもよい。
【０１０７】
複数のインジケータシーケンスを用いると、制御された共存に対して異なるレベルの応答が可能になる。ここで、複数のインジケータシーケンスを用いることは、送信されるインジケーションが複数のオプションにマッピングできることを意味し、インジケーション信号が１つ又は複数のビットを含むことが必要になる。１つの例として、基地局が発生させて送信することができる５つの可能なインジケータシーケンス、すなわち、０００、１０１、１１０、０１１、及び１１１があり得る。これらのインジケータシーケンスのうちの１つが、レイテンシ耐性ＵＥの各スケジューリング間隔の、第１の低レイテンシサブフレームを除く各低レイテンシサブフレームの第１のＯＦＤＭシンボルに配置される。インジケータシーケンス０００は、そのサブフレームではレイテンシ耐性ＵＥのデータ送信が修正されていないことをＵＥ１０４ａに示す。インジケータシーケンス１０１は、そのサブフレームではレイテンシ耐性データの全てがパンクチャリングされていることをＵＥ１０４ａに示す。インジケータシーケンス１１０は、そのサブフレームではパーティション１７２の上半分のサブキャリアが搬送するレイテンシ耐性データの全てがパンクチャリングさていることをＵＥ１０４ａに示す。インジケータシーケンス０１１は、そのサブフレームではレイテンシ耐性データの送信専用の電力が３３％低減されていることを示す。インジケータシーケンス１１１は、そのサブフレームではレイテンシ耐性データの送信専用の電力が６６％低減されていることを示す。
【０１０８】
図４において、インジケータシーケンスは、低レイテンシリソースにスケジューリングされた各レイテンシ耐性ＵＥに、個々のユニキャスト送信で送出される。図５は、低レイテンシリソース１２８にスケジューリングされた全てのレイテンシ耐性ＵＥにインジケータシーケンスがブロードキャストされる一例を図示する。図５の例において、インジケータシーケンスは、低レイテンシ周波数帯域１２８全体にわたって分散したリソースエレメントグループに広がっているが、インジケータシーケンスは代替的に、単一のリソースエレメント又は複数の連続的なリソースエレメントに集められ得る。インジケータシーケンスは、図５の全てのレイテンシ耐性ＵＥに共通であり、レイテンシ耐性ＵＥは、第１のＯＦＤＭシンボルのどこでインジケータシーケンスを見つけるべきかを認識している必要がある。
【０１０９】
図５に示す例の場合、インジケーションシグナリングをブロードキャストすることは、インジケーションシグナリングの内容が低レイテンシリソース１２８で送信を受信するＵＥのグループに共通であることを意味する。したがって、ブロードキャストされる又はグループ共通の制御シグナリングは、時間−周波数リソース１２８に対応する。すなわち、制御シグナリングは領域１２８内のパンクチャリング情報を提供する。
【０１１０】
図５の例において、異なるレイテンシ耐性ＵＥが低レイテンシリソースの異なるリソースにスケジューリングされてよい。例えば、ＵＥ１０４ａは周波数ｆ１とｆ２との間にスケジューリングされ、ＵＥ１０４ｂは周波数ｆ３とｆ４との間にスケジューリングされる。
【０１１１】
第２の低レイテンシサブフレームの第１のＯＦＤＭシンボルにブロードキャストされたインジケータシーケンス１９２は、レイテンシ耐性データ送信に修正がないことを示す。
【０１１２】
第３の低レイテンシサブフレームの第１のＯＦＤＭシンボルにブロードキャストされたインジケータシーケンス１９４は、レイテンシ耐性データ送信に配分された電力が６６％低減されていることを示す。インジケータシーケンス１９４がブロードキャストされるのは、第２の低レイテンシサブフレームにおいて、基地局１００が第３の低レイテンシサブフレームの間に、例えば、レイテンシ耐性データ送信と同じ時間−周波数リソースを用いて送信用にスケジューリングした一部の低レイテンシデータが到着したからである。
【０１１３】
第４の低レイテンシサブフレームの第１のＯＦＤＭシンボルにブロードキャストされたインジケータシーケンス１９６は、全てのレイテンシ耐性データが第４の低レイテンシサブフレームにおいてパンクチャリングされていることを示す。インジケータシーケンス１９６がブロードキャストされるのは、第３の低レイテンシサブフレームにおいて、基地局がサービスを提供する低レイテンシＵＥの数、すなわち低レイテンシＵＥの負荷が増加したというインジケーションを基地局１００が受信したからである。
【０１１４】
一例として、基地局が発生させてブロードキャストすることができる４つの可能なインジケータシーケンス、すなわち、００、０１、１０、及び１１があり得る。インジケータシーケンス００は、低レイテンシリソース１２８にスケジューリングされたレイテンシ耐性データ送信の修正が低レイテンシサブフレームの間にないことを示す。インジケータシーケンス０１は、低レイテンシリソース１２８にスケジューリングされたレイテンシ耐性データ送信の電力が低レイテンシサブフレームの間に３３％低減されたことを示す。インジケータシーケンス１０は、低レイテンシリソース１２８にスケジューリングされたレイテンシ耐性データ送信の電力が低レイテンシサブフレームの間に６６％低減されたことを示す。インジケータシーケンス１１は、低レイテンシリソース１２８にスケジューリングされたレイテンシ耐性データが低レイテンシサブフレームの間にパンクチャリングされたことを示す。この例に従うと、インジケータシーケンス１９２は００であり、インジケータシーケンス１９４は１０であり、インジケータシーケンス１６９は１１である。上述したように、より多くのビットを追加することができ、インジケーションを提供するために異なるオプションを考慮することができる。別の例として、インジケーション信号は３つのペイロードビットで構成され得る。インジケータシーケンス０００は、そのサブフレームではレイテンシ耐性ＵＥのデータ送信が修正されていないことを示す。インジケータシーケンス１０１は、サブフレームの全てが領域１２８内でパンクチャリングされていることを示す。インジケータシーケンス１１０は、パーティション１２８の上半分のサブキャリアがサブフレームにおいてパンクチャリングされていることを示す。
【０１１５】
また、基地局がレイテンシ耐性送信をどのように修正するか、それに応じてどのインジケータシーケンスを送出するかが、低レイテンシＵＥの負荷に基づいて基地局により判定されてよい。例えば、インジケータシーケンス００は０〜９個のＵＥの低レイテンシＵＥ負荷に対応してよく、インジケータシーケンス０１は１０〜１９個のＵＥの低レイテンシＵＥ負荷に対応してよく、インジケータシーケンス１０は２０〜２９個のＵＥの低レイテンシＵＥ負荷に対応してよく、インジケータシーケンス１１は３０個より多くのＵＥの低レイテンシＵＥ負荷に対応してよい。ここで、後者の例は、低レイテンシＵＥの所与の負荷が特定のインジケーション情報をもたらし得ることを意味する、例えば、１０〜１９個のＵＥのＵＥ負荷は修正がないことを意味する。ＵＥは、上位層シグナリングで構成され得る。別の例において、レイテンシ耐性ＵＥは、ＵＥの負荷と提供された対応する情報との間のマッピングを認識する必要はなくてよい。これは、ネットワークの実施例になり得る。
【０１１６】
低レイテンシリソース１２８にスケジューリングされた各レイテンシ耐性ＵＥにユニキャスト送信を送出するのではなく、図５のように、インジケータシーケンスをブロードキャストすることにより、オーバーヘッドが低減され得る。インジケータシーケンスをブロードキャストすることは、シグナリングが全てのレイテンシ耐性ＵＥに共通である（例えば、全てのレイテンシ耐性ＵＥが同じ修正又はパンクチャリングを経験する）場合、例えば、低レイテンシサブバンドが比較的狭い場合に特に適してよい。ここで、シグナリングは、領域１２８にスケジューリングされた／領域１２８と重複するレイテンシ耐性ＵＥに共通である。
【０１１７】
図５の例において、低レイテンシリソース１２８に日和見的にスケジューリングされるレイテンシ耐性データ送信は、低レイテンシリソース領域の大きさ、送信用の低レイテンシデータの到着、及び低レイテンシＵＥの負荷などの要因に基づいて修正され得る。図５の例は、基地局１００がサービスを提供するレイテンシ耐性ＵＥの負荷があまりに大きいので、異なるレイテンシ耐性ＵＥ用の異なるレイテンシ耐性データ送信が低レイテンシリソース領域全体にわたって日和見的にスケジューリングされ得る場合に、より適用可能になり得る。図５の例は、低レイテンシ（例えばＵＲＬＬＣ）負荷特性及び／又は到着率を考慮するために、低レイテンシサブフレーム全体にわたるレイテンシ耐性データを修正する必要があり得る場合にも適用可能になり得る。
【０１１８】
一部の実施形態において、図５において送信されるインジケータシーケンスは、例えば、リソース割り当ての検索空間を示すために、制御情報も低レイテンシＵＥに提供し得る。より一般的には、インジケータシーケンスなどのレイテンシ耐性ＵＥの情報、及び低レイテンシＵＥの情報は、同じ時間−周波数位置に、例えば同じＯＦＤＭシンボルに存在し得る。
【０１１９】
図５は単なる一例であり、図４に関連して上述した多くの変形例もあり得る。
【０１２０】
一部の実施形態において、低レイテンシ帯域におけるレイテンシ耐性データ送信と低レイテンシデータ送信との共存は、再送信ゾーンでのみ制御され得る。図６は、低レイテンシリソース１２８が新たな送信ゾーンと再送信ゾーンとに分割される一例を示す。再送信ゾーンは、データの再送信、例えば高い信頼性要件を有するデータのＨＡＲＱ再送信又は自動再送信を送出するために予約された時間−周波数リソースのパーティションであり、
新たな送信ゾーンは、再送信が送出されない時間−周波数リソースのパーティションである。再送信ゾーンはハッチングで示されている。図６に示すような、新たな送信ゾーン及び再送信ゾーンへの低レイテンシリソース１２８のパーティションは、論理パーティションであり、また単なる１つの例である。再送信は代替的に、ＨＡＲＱなしでも可能である。すなわち、１つ又は複数のレピティションが低レイテンシＵＥ用の最初の送信の後に続いてよい。
【０１２１】
レイテンシ耐性データ送信は、低レイテンシリソース１２８に、場合によっては新たな送信ゾーン及び再送信ゾーンに日和見的にスケジューリングされてよい。例えば、ＵＥ１０４ａ用のレイテンシ耐性データ送信は、ｆＡとｆＢとの間の周波数にスケジューリングされる。しかしながら、図６では、インジケータシーケンスは再送信ゾーンにのみ存在する。考えられる利点は、インジケータシーケンスが基地局１００によってのみ送信され、再送信ゾーンのレイテンシ耐性ＵＥによって処理されるので、オーバーヘッドがより少ないということである。インジケータシーケンスは、ユニキャストされても又はブロードキャストされてもよい。
【０１２２】
一部の実施形態において、新たな送信ゾーンによるレイテンシ耐性データ送信が基地局１００によって修正され得るが、レイテンシ耐性ＵＥは通知されない。レイテンシ耐性ＵＥは、再送信ゾーンによるレイテンシ耐性データ送信の修正のみを通知される。他の実施形態において、新たな送信ゾーンによるレイテンシ耐性データ送信は決して修正されない。レイテンシ耐性データ送信のあらゆる修正は、再送信ゾーンだけで行われる。新たな送信ゾーンによるレイテンシ耐性データ送信が決して修正されない場合、低レイテンシデータは、新たな送信ゾーンにおいてレイテンシ耐性ＵＥに既に与えられているリソースと同じリソースにスケジューリングされないか、又は低レイテンシデータは、新たな送信ゾーンにおいてレイテンシ耐性ＵＥに既に与えられているリソースと同じリソースにスケジューリングされてよいかのいずれかであり、リソースを共有する２つの送信は干渉を受ける。
【０１２３】
図６に関連して上述した実施形態は、インジケータシーケンスが新たな送信ゾーンにおける共存も制御するように修正されてよく、レイテンシ耐性データ送信は、場合によっては、再送信ゾーンと比較して異なるやり方で新たな送信ゾーンにおいて修正される。１つの例として、低レイテンシリソース１２８にスケジューリングされたレイテンシ耐性データ送信が、新たに到着した低レイテンシデータ又は低レイテンシＵＥの負荷増加に起因して、基地局１００によって修正される必要がある場合、基地局１００は、レイテンシ耐性データ送信を以下の通りに修正してよい。すなわち、再送信ゾーンにおいてレイテンシ耐性データをパンクチャリングし、新たな送信ゾーンにおいてレイテンシ耐性データの電力を低減する。
【０１２４】
図６に関連して上述した実施形態は、レイテンシ耐性送信が今後の低レイテンシサブフレームにおいてどのように修正されるかをインジケータシーケンスが示すように修正されてよい。例えば、基地局は、低レイテンシＵＥへ向かうデータを自動的に再送信してよく、新たな送信ゾーンにおけるインジケータシーケンスは、低レイテンシデータが再送信される再送信ゾーンにおいてレイテンシ耐性データ送信がどのように修正されるかを示してよい。レイテンシ耐性送信の修正は、低レイテンシデータが再送信される再送信ゾーンでは異なり得る。例えば、レイテンシ耐性データ送信のビットがパンクチャリングされる時間−周波数位置は、新たな送信ゾーンと比較すると、再送信ゾーンでは異なり得る。この例は、低レイテンシＵＥが自動再送信又はレピティションでスケジューリングされる場合、ネットワークは、次のサブフレームのどの部分をパンクチャリングすることができるかをレイテンシ耐性ＵＥに通知してよいことを意味する。これは、再送信／レピティションがどこで行われるかについての認識に基づいてよい。
【０１２５】
上述した実施形態の全てにおいて、インジケータシーケンスはメモリレスである。すなわち、レイテンシ耐性ＵＥが低レイテンシサブフレームの最初の部分でインジケータシーケンスを受信した場合、レイテンシ耐性ＵＥは、現在のインジケータシーケンスがどの情報を提供しているかを決定するために、以前のインジケータシーケンスからの情報を用いる必要がない。オーバーヘッドを低減させるために、一部の実施形態において、インジケータシーケンスはメモリレスでなくてよく、差分インジケータであってよい。
【０１２６】
図７は、低レイテンシサブフレームの最初の部分で送信されるインジケータシーケンスがメモリレスではない一例を示す。図７の例において、インジケータシーケンス２０２、インジケータシーケンス２０４、及びインジケータシーケンス２０６はそれぞれ、「１」又は「０」の値を有する単一のビットフラグである。３つのインジケータフラグの組み合わせで、第２、第３、及び第４の低レイテンシサブフレームのそれぞれにおいて通常のデータ送信がどのように修正されるかを示す。多数の異なる変形例があり得るが、１つの例として、インジケータシーケンス２０２が０であり、インジケータシーケンス２０４が１であり、インジケータシーケンス２０６が１である場合、第２の低レイテンシサブフレームによるレイテンシ耐性送信は修正されず、第３の低レイテンシサブフレームによるレイテンシ耐性送信はその送信電力を５０％低減させ、第４の低レイテンシサブフレームによるレイテンシ耐性送信はパンクチャリングされる。この例は図７に示されている。別の例として、インジケータシーケンス２０２が０であり、インジケータシーケンス２０４が１であり、インジケータシーケンス２０６が０である場合、第２の低レイテンシサブフレームによるレイテンシ耐性送信は修正されず、第３の低レイテンシサブフレームによるレイテンシ耐性送信はその送信電力を５０％低減させ、第４の低レイテンシサブフレームによるレイテンシ耐性送信は修正されない。
【０１２７】
図８は、ＵＥ１０４ａ用の単一のインジケータシーケンス２３２だけが、レイテンシ耐性ＵＥのスケジューリング間隔の最後の部分で送信される一例を示す。このインジケータシーケンス２３２は、複数のＵＥにブロードキャストされても、又は影響を受ける単一のＵＥにユニキャストされてもよい。インジケータシーケンス２３２が複数のＵＥにブロードキャストされた場合、複数のＵＥ、すなわちＵＥのグループは、インジケーションシグナリングが提供される間隔の最後の部分の近くに設定されたリソースを監視する。この例では、レイテンシ耐性ＵＥのスケジューリング間隔は任意の所与の間隔を意味し、インジケーションシグナリングは、低レイテンシ送信の複数のスケジューリング期間を潜在的に含む間隔の最後の部分の近くで監視される。換言すれば、図８は、領域１２８と重複する／領域１２８にスケジューリングされたＵＥのグループが、間隔の最後の部分で共通シグナリング２３２を監視する一例を意味する。
【０１２８】
図８は、インジケーションのユニキャスト送信の一例を示し、インジケーションが送出されるリソースは、ＵＥ１０４ａへの送信のスケジューリングされた部分にある。インジケーションがグループ共通シグナリングである場合、インジケーションが監視されるリソースは、１つ又は複数の送信のリソースに及ぶことがある。インジケータシーケンス２３２はその代わりに、レイテンシ耐性ＵＥのスケジューリング間隔の最後の部分に近い別の位置で、例えば、レイテンシ耐性ＵＥのスケジューリング間隔の最後の低レイテンシサブフレームの第１のＯＦＤＭシンボルにおいて送信されてよい。ＵＥ１０４ａは、レイテンシ耐性ＵＥのスケジューリング間隔の最後の部分までに復号を開始しないので、レイテンシ耐性データ送信がレイテンシ耐性ＵＥのスケジューリング間隔においてどのように修正されているかをＵＥ１０４ａに示すのに、単一のインジケータ２３２のみが用いられる。図８の実施形態の考えられる利点には、オーバーヘッドが少ないこと、及び／又は全ての低レイテンシサブフレームを動的に監視する必要がないことが含まれ得る。ＵＥ１０４ａは、レイテンシ耐性ＵＥのスケジューリング間隔全体のリソースに受信信号をバッファリングし、最後のＯＦＤＭシンボル（又はスケジューリング間隔の最後の部分の近く）のインジケータシーケンスは、レイテンシ耐性送信がスケジューリング間隔において修正されたとしてもどのように修正されているかを示すことになる。
図８の実施形態は、レイテンシ耐性送信の修正がパンクチャリングである実施例に特に適しているかもしれない。しかしながら、十分長いインジケータシーケンスが他の修正様式に関する情報も含んでよい。インジケータシーケンス２３２は、レイテンシ耐性ＵＥのスケジューリング間隔のどのリソースエレメントがパンクチャリングされているかを示すことができ、ＵＥ１０４ａのデコーダ１５５は、復号を実行するときに、パンクチャリングされたビットを無視してよい。各低レイテンシサブフレーム（第１の低レイテンシサブフレームを除く）に別個のインジケータシーケンスを持たないことにより、ＵＥ１０４ａは受信信号のより多くのビットをバッファリングする必要があるかもしれない。しかしながら、各低レイテンシサブフレームにインジケータシンボルがないことで、低レイテンシサブフレーム全体が低レイテンシＵＥのデータを含むことが可能になる。インジケーションがＵＥのグループに共通である場合、そのインジケーションを搬送するリソースは、図８に示す、１つのＵＥの送信のスケジューリングされたリソースに含まれなくてもよいことに留意されたい。その代わりに、インジケーションは所与の位置において又は間隔の最後の部分のリソースにおいて送信されることがあり、これは任意のレイテンシ耐性送信と重複してもよく又は重複しなくてもよい。同じことが図５に図示した例に適用される。すなわち、インジケーション信号を含むリソースエレメントは、レイテンシ耐性送信のスケジューリングされたリソースの内側にあっても又は外側にあってもよい。一部の実施形態において、ＵＥがスケジューリングされた後に、ＵＥがインジケーションを何回監視するか及び／又はどこで監視するかは、上位層のシグナリング、例えばＲＲＣシグナリングによって設定される。
【０１２９】
所与の間隔の最後の部分の近くで監視されるインジケーションシグナリングは、間隔全体のパンクチャリング情報を提供してもよく又は提供しなくてもよい。一部の実施形態において、インジケーションシグナリングは、間隔のある部分のパンクチャリング情報を提供する。例えば、インジケーションシグナリングがＸ個のＯＦＤＭシンボルごと（すなわち、間隔の長さはＸ個のＯＦＤＭシンボルである）の最後の部分の近くで所与の無線パラメータについて監視される場合、シグナリングは、Ｘ個のＯＦＤＭシンボルの長さの間隔内のＮ個のＯＦＤＭシンボルについてのパンクチャリング情報を提供してよく、ここでＮはＸより小さい又はそれに等しい。Ｎ個のシンボルはさらに、Ｋ個のシンボルから成る低レイテンシサブフレームなどのより小さいセグメントに分割されてよく、ここでＫはＮより小さい又はそれに等しい。図８の例では、Ｋは低レイテンシサブフレーム内のＯＦＤＭシンボルの数であり、Ｘはレイテンシ耐性ＵＥの間隔内のＯＦＤＭシンボルの数であり、Ｎはレイテンシ耐性ＵＥの間隔内のＯＦＤＭシンボルの数から第１の低レイテンシサブフレーム内のＯＦＤＭシンボルの数を引いたものである。先述したように、一部の実施形態において、インジケーションシグナリングは、第１の低レイテンシサブフレームにパンクチャリングがあるかどうかを示さなくてもよい。代替実施形態において、シグナリングは、インジケーション制御シグナリングの監視機会までに現れたＮ個のＯＦＤＭシンボルについてのパンクチャリング情報を提供してよい。監視機会はＸ個のシンボルごとにすることができ、この例では、ＮがＸより小さい又はこれに等しいという条件が依然として有効であってよい。同様に、監視機会はＸ個のスロットごとにすることができ、シグナリングは、インジケーションが監視されるスロット及び以前のスロット又はＮ個の以前のスロットだけを含み得るＮ個のスロットについてのパンクチャリング情報を提供してよい。この場合、ＮがＸより小さい又はこれに等しいという条件が依然として有効であってよい。一部の実施形態において、インジケーション制御シグナリングはＸ個のシンボル又はスロットごとに所与の無線パラメータについて監視される。Ｘの値は設定可能であり得、異なる無線パラメータ、すなわち異なるサブキャリア間隔及び／又はＣＰタイプによって異なり得る。１つの例において、Ｘの値、すなわちシンボル又はスロットの監視周期性は、無線パラメータ全体にわたりスケーラブルであり得る。例えば、監視周期性がサブキャリア間隔ｆ０ｋＨｚにおいてＸ個のシンボルである場合、周期性は、同じＣＰオーバーヘッドのサブキャリア間隔ｆＮ＝２Ｎ×ｆ０ｋＨｚに対して、２Ｎ×Ｘ個のシンボルにすることができる。シンボルに関するスケーラブルな関係は、異なるＣＰオーバーヘッドが異なるサブキャリア間隔に用いられる場合、適用されてもよく又は適用されなくてもよい。別の例において、監視周期性がサブキャリア間隔ｆ０ｋＨｚにおいてＸ個のスロットである場合、周期性は、同じ又は異なるＣＰオーバーヘッドのサブキャリア間隔ｆＮ＝２Ｎ×ｆ０ｋＨｚに対して、２Ｎ×Ｘ個のスロットにすることができる。この理由は、スロット期間が同じ又は異なる���Ｐオーバーヘッドに対して同じであるためであり、例えば、標準的なＣＰオーバーヘッドのスロットが７個のシンボルを含んでよく、拡張型ＣＰでは６個のシンボルを含んでよいが、両方ともミリ秒単位の同じ期間を有する。あらゆるｆ０の値があり得る。具体的には、ｆ０の値は｛３．７５、７．５、１５、３０、６０、１２０、２４０、４８０｝ｋＨｚから選択することができる。シンボル又はスロットに関するスケーラブルな監視周期性は、ミリ秒単位の周期性が全ての無線パラメータで同じになり得ることを意味している。周期性は設定可能である。それに対して、監視周期性がサブキャリア間隔ｆ０ｋＨｚにおいてＸ個のシンボルである場合、周期性は、同じＣＰオーバーヘッドのサブキャリア間隔ｆＮ＝２−Ｎ×ｆ０ｋＨｚに対して、２−Ｎ×Ｘ個のシンボルにすることができる。別の例において、監視周期性がサブキャリア間隔ｆ０ｋＨｚにおいてＸ個のスロットである場合、周期性は、同じ又は異なるＣＰオーバーヘッドのサブキャリア間隔ｆＮ＝２−Ｎ×ｆ０ｋＨｚに対して、２−Ｎ×Ｘ個のスロットにすることができる。
【０１３０】
図８の例において、インジケータシーケンス２３２は、第２の低レイテンシサブフレームのリソース２４２での送信用にスケジューリングされたレイテンシ耐性データがパンクチャリングされたことを示す。例えば、インジケータシーケンスは、各低レイテンシサブフレームに対応するビットを含むビットマップであってよく、低レイテンシサブフレームがパンクチャリングされているかどうかを示す。すなわち、インジケーション制御情報は時間粒度を有してよく、それは例えば、時間セグメントごとに１つのビット、例えば、低レイテンシサブフレームごとに１つのビットなど、すなわち、時間内のＫ個の連続したシンボルごとに１つのビットである。上記段落で述べた例では、１つのビットが、ある期間のパンクチャリングの状況又はＫ個のシンボルの時間粒度を表してよく、例えば、Ｋ個のシンボルは１つの低レイテンシサブフレームである。時間粒度は、制御オーバーヘッドが問題である場合に変更されてよく、例えば、隣接する低レイテンシサブフレームの対ごとに１つのビット、すなわち、２Ｋ個のシンボルを含む期間の状況を１つのビットが示す。
【０１３１】
代替的に、インジケータシーケンスは、サブフレームごとに当該サブフレームのどの部分がパンクチャリングされているかを示す値を含んでよく、例えば、「００」はパンクチャリングされていないことを示し、「１０」は５０％がパンクチャリングされていることを示す。より多くのビットを用いることにより、低レイテンシサブフレームの異なる部分に対応するパンクチャリング情報を提供するより細かい粒度がサポートされ得る。例えば、「１１」は、低レイテンシサブフレームの上半分の周波数リソース（上位のサブキャリア）をパンクチャリングしていることを示してよく、「０１」は、当該低レイテンシサブフレームの下半分の周波数リソース（下位のサブキャリア）をパンクチャリングしていることを示してよい。
【０１３２】
上述したように、インジケーション制御信号は、時間領域及び／又は周波数領域のプリエンプション情報を時間−周波数領域に提供するビットシーケンスを含み得る。ビットシーケンスは、所与の又は設定された又は適合した時間粒度及び／又は周波数粒度に基づいて、プリエンプション情報を示す。一部の実施形態において、制御シグナリングでプリエンプション情報／パンクチャリング情報を提供するのに用いられる時間粒度及び／又は周波数粒度にも、スケーラブルな関係が適用されてよい。例えば、サブキャリア間隔ｆ０ｋＨｚの時間粒度としてＬ個のシンボルが設定された場合、２Ｎ×Ｌ個のシンボルが所与のＣＰタイプのサブキャリア間隔２Ｎ×ｆ０ｋＨｚの時間粒度になり得る。さらに、サブキャリア間隔ｆ０ｋＨｚの時間粒度としてＬ個のスロットが設定された場合、２Ｎ×Ｌ個のスロットがあらゆるＣＰタイプ、すなわち、標準ＣＰ又は拡張ＣＰのサブキャリア間隔２Ｎ×ｆ０ｋＨｚの時間粒度になり得る。上述したように、スロット期間は、所与のサブキャリア間隔の標準ＣＰ及び拡張型ＣＰに対して同じになり得る。無線パラメータ全体にわたるスケーラブルな時間粒度は、無線パラメータ全体にわたるスケーラブルな時間粒度に対してミリ秒単位の共通期間を意味し得る。さらに、サブキャリア間隔ｆ０ｋＨｚの時間粒度としてＬ個のシンボルが設定された場合、２−Ｎ×Ｌ個のシンボルが所与のＣＰタイプのサブキャリア間隔２−Ｎ×ｆ０ｋＨｚの時間粒度になり得る。サブキャリア間隔ｆ０ｋＨｚの時間粒度としてＬ個のスロットが設定された場合、２−Ｎ×Ｌ個のスロットがあらゆるＣＰタイプ、すなわち、標準ＣＰ又は拡張ＣＰのサブキャリア間隔２−Ｎ×ｆ０ｋＨｚの時間粒度になり得る。それに対して、周波数粒度が無線パラメータ全体にわたってスケーラブルになり得る。例えば、サブキャリア間隔ｆ０ｋＨｚの周波数粒度としてＬ個のＲＢ又はＲＢＧが設定された場合、２−Ｎ×Ｌ個のＲＢ又はＲＢＧがサブキャリア間隔２Ｎ×ｆ０ｋＨｚの周波数粒度になり得る。代替的に、サブキャリア間隔ｆ０ｋＨｚの周波数粒度としてＬ個のＲＢ又はＲＢＧが設定された場合、２Ｎ×Ｌ個のＲＢ又はＲＢＧがサブキャリア間隔２−Ｎ×ｆ０ｋＨｚの周波数粒度になり得る。これは、Ｈｚ単位の共通の周波数粒度が全ての無線パラメータに採用され得ることを意味し得る。あらゆるｆ０の値があり得る。具体的には、ｆ０の値は｛３．７５、７．５、１５、３０、６０、１２０、２４０、４８０｝ｋＨｚから選択することができる。
【０１３３】
一部の実施形態において、インジケータシーケンスはその代わりに、差分インジケータであってよく、第１のビット又はビットのセットが第１のサブフレームの修正を示し、次のビットのセットが以前のサブフレームに対する修正の変化を示す。
【０１３４】
図２から図８に関連して上述した実施形態の全てにおいて、インジケータシーケンスは、ダウンリンクで送出される任意のパイロットシーケンスとは別個のものである。しかしながら、パイロットシーケンスがインジケータシーケンスとしての役割も果たす変形例もあり得る。すなわち、各パイロットシーケンスは、レイテンシ耐性ＵＥにより復号された場合、レイテンシ耐性データ送信が（修正されたとしても）どのように修正されているかというインジケーションにもなる。基地局及びレイテンシ耐性ＵＥは、どのパイロットシーケンスがどのインジケーションに対応するかを推測的に認識することになり、基地局は、基地局が伝えたいインジケーションに基づいて、適切なパイロットシーケンスを選択する。
【０１３５】
図１に戻ると、動作の際に、上述したインジケータシーケンスは、例えば、低レイテンシリソース１２８を用いて送信される低レイテンシデータが新たに到着したというインジケーションに応答して、及び／又は、低レイテンシＵＥの負荷が増加したというインジケーションに応答して、基地局１００内でシグナリング発生器１１２によって発生する。インジケータシーケンスは次に、これらのインジケータシーケンスが向かうリソースにリソースマッパー１２０を用いてマッピングされ、アンテナ１２２を介してダウンリンク送信１２４で送信される。ダウンリンク送信はアンテナ１５２を介してＵＥ１０４ａにより受信され、物理層処理が受信機１５４で行われる。受信機１５４はダウンリンク送信をデコーダ１５５で復号する。シグナリング抽出器１５６はＵＥ１０４ａ向けのインジケータシーケンスを抽出する。インジケータシーケンスは、インジケータシーケンスのために予約されたダウンリンクリソースで送出されてよく、その場合、信号抽出器１５６はこれらの予約されたリソースからインジケータシーケンスを取得する。他の実施形態において、インジケータシーケンスに用いられるリソースが他の制御及び／又はデータと動的に共有される場合、ダウンリンク送信からインジケータシーケンスを抽出するために、ブラインドデコーディングがＵＥ１０４ａにより行われてよい。ＵＥ１０４ａ向けのインジケータシーケンスがＵＥ１０４ａにより取得されると、シグナリング抽出器１５６はインジケータシーケンスを処理して、低レイテンシリソースを用い且つＵＥ１０４ａへ向かうレイテンシ耐性送信が修正されているかどうか、及びどのように修正されているかに関する情報を獲得する。ＵＥ１０４ａは次に、インジケータシーケンス内の情報に基づいて対応を取ってよい。例えば、ＵＥ１０４ａのデコーダ１５５は、レイテンシ耐性データ送信が基地局によりどのように修正されているかというインジケーションに基づいて、レイテンシ耐性データの復号を修正してよい。１つの例として、低レイテンシリソースを用いて送信された特定のレイテンシ耐性データがパンクチャリングされていることをインジケータシーケンスが示す場合、デコーダ１５５は、復号するときに、パンクチャリング領域で受信されたビットを無視してよい。レイテンシ耐性送信の電力が低減されていることだけをインジケータシーケンスが示す場合、デコーダ１５５はそのオペレーションを修正しないかもしれない。しかしながら、レイテンシ耐性ＵＥのスケジューリング間隔全体にわたる電力配分の低減又は不均一に起因して、復号性能が損なわれることがある。ＵＥ１０４ｂは、ＵＥ１０４ａと同様な方式で動作する。
【０１３６】
基地局１００において、レイテンシ耐性データ送信が修正される場合、その修正は送信修正器１２１により実行される。例えば、送信修正器１２１は、レイテンシ耐性データ送信のビットをパンクチャリングするか、又はレイテンシ耐性データ送信を送信するのに用いられる送信電力を低減させる命令を発行してよい。
【０１３７】
図９は、１つの実施形態による、基地局及びＵＥによって実行される方法である。段階３０１において、基地局は任意選択的に、レイテンシ耐性ＵＥに送出されるレイテンシ耐性データの送信をスケジューリングする。段階３０２において、基地局はＵＥへのデータ送信を修正する。ＵＥはレイテンシ耐性ＵＥであってよく、データ送信は低レイテンシリソースを用いてよい。修正は、上記の例で論じられたように、パンクチャリング又は送信電力の低減であってよい。段階３０４において、基地局はデータ送信が修正されていることを示すシグナリングを送信する。段階３０６において、ＵＥはシグナリングを受信する。任意選択的に、段階３０８において、ＵＥはシグナリングに基づいて、例えば、修正がパンクチャリングである場合、パンクチャリング領域で受信されたビットを無視することによりデータの復号を修正する。
【０１３８】
図１０は、１つの実施形態による、ＵＥ１０４ａによって実行される方法である。任意選択的に、段階４００において、ＵＥ１０４ａは第１のダウンリンクリソース１２８の時間−周波数位置を示す制御情報を半静的に受信する。段階４０２において、ＵＥ１０４ａはダウンリンク送信を第１のダウンリンクリソース１２８で基地局１００から受信する。段階４０４において、ＵＥ１０４ａはシグナリングを受信する。シグナリングは、少なくとも１つの他のＵＥ１０４ｂにも送出される。シグナリングは、第１のダウンリンクリソース１２８のある部分のデータがパンクチャリングされていることを示す。段階４０６において、ＵＥ１０４ａはシグナリングに基づいてダウンリンク送信の復号を修正する。任意選択的に、段階４０８において、ＵＥ１０４ａは、例えば受信データがダウンリンク送信を復号するのに不十分である場合、ＨＡＲＱ再送信を要求する。
【０１３９】
図１１は、１つの実施形態による、基地局１００によって実行される無線通信の方法である。段階４５２において、基地局１００は第１のダウンリンクリソース１２８によるスケジューリングされた第１のダウンリンク送信を第１のＵＥ１０４ａに送信する。段階４５４において、基地局１００は第１のダウンリンクリソース１２８によるスケジューリングされた第２のダウンリンク送信を第２のＵＥ１０４ｂに送信する。段階４５６において、基地局１００は第１のダウンリンクリソース１２８とは異なる第２のダウンリンクリソース１３０によるスケジューリングされた第３のダウンリンク送信を第３のＵＥに送信する。段階４５８において、基地局１００は第１のＵＥ１０４ａ及び第２のＵＥ１０４ｂに共通シグナリングを送信するが、第３のＵＥには送信しない。共通シグナリングは、第１のダウンリンク送信及び第２のダウンリンク送信のうちの少なくとも一方のある部分がパンクチャリングされていることを示す。段階４６０において、基地局１００は第１のダウンリンク送信及び第２のダウンリンク送信のうちの少なくとも一方のパンクチャリングされている部分による第４のダウンリンク送信を第４のＵＥ１０２ａに送信する。
［他の例示的な方法及びシステム］
【０１４０】
例１：基地局によって実行される方法であって、上記方法は、第１のＵＥへの第１のデータの第１の送信を第１のリソースにスケジューリングする段階と、上記第１のリソースのある部分で第２のデータを第２のＵＥに送信する段階と、上記第１の送信が修正されていることを上記第１のＵＥにシグナリングする段階とを備える、方法。
【０１４１】
例２：上記第２のデータは上記第１のデータより低レイテンシの要件を有する、例１に記載の方法。
【０１４２】
例３：上記シグナリングは、上記第１の送信がどのように修正されているかを示す、例１又は例２に記載の方法。
【０１４３】
例４：上記シグナリングは複数のビットを含み、上記複数のビットの異なる組み合わせで、上記第１の送信が修正された異なるやり方をシグナリングする、例３に記載の方法。
【０１４４】
例５：上記シグナリングは上記第１のリソースで送信される、例３又は例４に記載の方法。
【０１４５】
例６：上記第１の送信は複数の低レイテンシサブフレームを含む時間間隔にわたってスケジューリングされる、例５に記載の方法。
【０１４６】
例７：上記シグナリングは、上記複数の低レイテンシサブフレームのうちの少なくとも１つの間に送信される、例６に記載の方法。
【０１４７】
例８：上記シグナリングは、上記複数の低レイテンシサブフレームのうちの１つの第１のＯＦＤＭシンボルで送信される、例７に記載の方法。
【０１４８】
例９：上記シグナリングは、上記時間間隔の最後の低レイテンシサブフレームの少なくとも１つのＯＦＤＭシンボルで送信される、例７に記載の方法。
【０１４９】
例１０：上記シグナリングは、上記時間間隔の最後の低レイテンシサブフレームの最後のＯＦＤＭシンボルで送信される、例９に記載の方法。
【０１５０】
例１１：上記シグナリングは上記時間間隔の最後の低レイテンシサブフレームの上記第１のＯＦＤＭシンボルで送信される、例９に記載の方法。
【０１５１】
例１２：上記複数の低レイテンシサブフレームの特定のサブフレームでは、上記シグナリングは上記第１の送信が上記特定のサブフレームの間にどのように修正されているかを示す、例７に記載の方法。
【０１５２】
例１３：上記シグナリングは追加的に、上記第１の送信が上記複数の低レイテンシサブフレームのうちの少なくとも１つの他のサブフレームの間にどのように修正されたかを示す、例１２に記載の方法。
【０１５３】
例１４：上記複数の低レイテンシサブフレームの特定のサブフレームでは、上記シグナリングは上記第１の送信が上記複数の低レイテンシサブフレームのうちの少なくとも１つの他のサブフレームの間にどのように修正されたかを示す、例７に記載の方法。
【０１５４】
例１５：シグナリングは、上記複数の低レイテンシサブフレームのうちの少なくとも１つに対して、上記第１の送信が当該低レイテンシサブフレームの間に修正されたかどうかを示す、例７に記載の方法。
【０１５５】
例１６：シグナリングは、上記複数の低レイテンシサブフレームの最後のサブフレームの間に送信される複数のビットを含む、例１５に記載の方法。
【０１５６】
例１７：上記シグナリングは上記第１の送信の一部として送出される、例６に記載の方法。
【０１５７】
例１８：上記シグナリングは、上記複数の低レイテンシサブフレームの最初の低レイテンシサブフレームにおいて送出される、例１７に記載の方法。
【０１５８】
例１９：上記シグナリングは上記第１の送信の一部として送出されない、例６に記載の方法。
【０１５９】
例２０：上記シグナリングはレイテンシ耐性リソースパーティションにおいて送出される、例１９に記載の方法。
【０１６０】
例２１：上記第１のリソースは、低レイテンシデータのダウンリンク送信に用いられる時間−周波数領域において時間−周波数リソースを含む、例１から２０のいずれか１つの例に記載の方法。
【０１６１】
例２２：上記方法はさらに、上記低レイテンシデータの上記ダウンリンク送信に用いられる上記時間−周波数領域を時間と共に動的に又は半静的に修正する段階を備える、例２１に記載の方法。
【０１６２】
例２３：上記シグナリングはビットシーケンスを含み、上記第１の送信がどのように修正されているかを有効ビットシーケンスが示し、上記第１の送信が修正されていないことを無効ビットシーケンスが示す、例１から２２のいずれか１つの例に記載の方法。
【０１６３】
例２４：上記無効ビットシーケンスは上記第１の送信のデータである、例２３に記載の方法。
【０１６４】
例２５：上記シグナリングはさらに上記第２のＵＥの制御情報を含む、例１から２４のいずれか１つの例に記載の方法。
【０１６５】
例２６：上記制御情報は、上記第１の送信が修正されていることを示す上記シグナリングと同じ時間−周波数位置に存在する、例２５に記載の方法。
【０１６６】
例２７：上記シグナリングはパイロットシーケンスを含む、例１から２６のいずれか１つの例に記載の方法。
【０１６７】
例２８：上記方法はさらに、上記第１の送信がどのように修正されているかに基づいて上記パイロットシーケンスを選択する段階を備える、例２７に記載の方法。
【０１６８】
例２９：上記方法はさらに、ＯＦＤＭシンボル内の分散したリソースエレメントグループに上記シグナリングをマッピングする段階を備える、例１から２８のいずれか１つの例に記載の方法。
【０１６９】
例３０：上記シグナリングは、上記シグナリングのために予約されたダウンリンクリソースで送出される、例１から２９のいずれか１つの例に記載の方法。
【０１７０】
例３１：上記シグナリングは上記第１のＵＥに専用であり、上記シグナリングは上記ＵＥへのユニキャスト送信で上記第１のＵＥに送信される、例１から３０のいずれか１つの例に記載の方法。
【０１７１】
例３２：上記シグナリングは、上記第１のＵＥを含む複数のＵＥに送出される、例１から３０のいずれか１つの例に記載の方法。
【０１７２】
例３３：上記複数のＵＥは第３のＵＥを含み、上記方法はさらに、上記第３のＵＥへの第３のデータの送信を第３のリソースにスケジューリングする段階を備え、上記シグナリングは上記第３のデータの上記送信が修正されていることも示す、例３２に記載の方法。
【０１７３】
例３４：上記シグナリングは、（ｉ）上記第１のデータの少なくとも一部をパンクチャリングする、（ｉｉ）上記第１のデータの少なくとも一部の送信に配分される電力を低減する、及び（ｉｉｉ）上記第１のデータの少なくとも一部に対するレートマッチングを修正する、のうちの少なくとも１つによって上記第１の送信が修正されたことを示す、例３に記載の方法。
【０１７４】
例３５：上記シグナリングは、ある間隔のある位置で送出され、上記シグナリングは上記間隔の少なくとも一部の間に上記第１の送信のパンクチャリングを示す、例１から３５のいずれか１つの例に記載の方法。
【０１７５】
例３６：上記シグナリングは上記間隔の最後の部分で送出される、例３５に記載の方法。
【０１７６】
例３７：上記第１のリソースは時間−周波数リソースを含む、例１から３６のいずれか１つの例に記載の方法。
【０１７７】
例３８：上記シグナリングは動的シグナリングである、例１から３７のいずれか１つの例に記載の方法。
【０１７８】
例３９：上記シグナリングは上記第１のＵＥ用のユニキャストシグナリングである、例１から３８のいずれか１つの例に記載の方法。
【０１７９】
例４０：上記シグナリングは物理ダウンリンク制御チャネル（ＰＤＣＣＨ）を用いて送信される、例１から３９のいずれか１つの例に記載の方法。
【０１８０】
例４１：上記方法は、上記第２のデータが送信される上記第１のリソースの上記部分での上記第１の送信の上記スケジューリングを修正する段階を備える、例１から４０のいずれか１つの例に記載の方法。
【０１８１】
例４２：上記複数の低レイテンシサブフレームの上記特定のサブフレーム内の上記シグナリングは、上記複数の低レイテンシサブフレームの少なくとも１つの他のサブフレームの間のパンクチャリングを示す、例１４に記載の方法。
【０１８２】
例４３：上記シグナリングは上記第２のデータの一部である、例１から４２のいずれか１つの例に記載の方法。
【０１８３】
例４４：上記シグナリングはインジケータシーケンスである、例４２に記載の方法。
【０１８４】
例４５：上記第１の送信はあるスケジューリング間隔にスケジューリングされ、上記シグナリングは上記スケジューリング間隔の最後の部分又はその近くに配置される、例１から４４のいずれか１つの例に記載の方法。
【０１８５】
例４６：上記第１のＵＥはレイテンシ耐性ＵＥであり、上記スケジューリング間隔はレイテンシ耐性スケジューリング間隔である、例４５に記載の方法。
【０１８６】
例４７：上記第１のリソースは低レイテンシリソース領域の一部であり、上記低レイテンシ領域は時間と共に動的に又は半静的に変化する、例１に記載の方法。
【０１８７】
例４８：上記第１のＵＥはレイテンシ耐性ＵＥであり、上記第２のＵＥは低レイテンシＵＥであり、上記方法はさらに、上記低レイテンシリソース領域を示すシグナリングを上記レイテンシ耐性ＵＥに送信する段階を備える、例４７に記載の方法。
【０１８８】
例４９：上記低レイテンシリソース領域を示す上記シグナリングは、動的シグナリング又は半静的シグナリングである、例４８に記載の方法。
【０１８９】
例５０：上記レイテンシ耐性ＵＥ用のレイテンシ耐性データ送信が特定の時間−周波数リソースにおいて修正されていることをレイテンシ耐性ＵＥにシグナリングする段階を備える、基地局によって実行される方法。
【０１９０】
例５１：上記方法はさらに、上記特定の時間−周波数リソースで低レイテンシデータを送信する段階を備える、例５０に記載の方法。
【０１９１】
例５２：上記特定のリソースは低レイテンシサブフレームに存在し、上記シグナリングは上記低レイテンシサブフレームで送信される、例５０又は５１に記載の方法。
【０１９２】
例５３：上記シグナリングは複数のレイテンシ耐性ＵＥに送出される、例５０から５２のいずれか１つの例に記載の方法。
【０１９３】
例５４：上記レイテンシ耐性データ送信はある時間間隔にわたって送出され、上記シグナリングは上記時間間隔の最後の部分又はその近くで送出される、例５０から５３のいずれか１つの例に記載の方法。
【０１９４】
例５５：上記レイテンシ耐性データ送信は複数の低レイテンシサブフレームにわたって送出され、上記シグナリングは上記複数の低レイテンシサブフレームの最後の低レイテンシサブフレームで送出される、例５０から５４のいずれか１つの例に記載の方法。
【０１９５】
例５６：上記第１の送信は複数の低レイテンシ時間間隔にわたってスケジューリングされ、上記方法はさらに、上記第１の送信がスケジューリングされる低レイテンシ時間間隔の数を物理ダウンリンク制御チャネルで示す段階を備える、例１から４９のいずれか１つの例に記載の方法。
【０１９６】
例５７：低レイテンシ時間間隔は低レイテンシサブフレームである、例５６に記載の方法。
【０１９７】
例５８：上記シグナリングは、時間領域及び／又は周波数領域の特定のリソースでの上記第１の送信の修正を示すビットマップ構造を含む、例１から４９のいずれか１つの例に記載の方法。
【０１９８】
例５９：上記修正はパンクチャリングである、例５８に記載の方法。
【０１９９】
例６０：上記ビットマップは、時間−周波数リソースパーティションの上半分がパンクチャリングされていることを示す、例５９に記載の方法。
【０２００】
例６１：上記修正は送信電力低減である、例５８に記載の方法。
【０２０１】
例６２：第１のＵＥへの第１のデータの第１の送信を第１のリソースにスケジューリングするスケジューラと、上記第１のリソースのある部分で第２のデータを第２のＵＥに送信するアンテナと、上記第１のＵＥに送出されるシグナリングを発生させるシグナリング発生器とを備え、上記シグナリングは上記第１の送信が修正されていることを示す、基地局。
【０２０２】
例６３：ＵＥによって実行される方法であって、上記方法は、リソースを用いてデータを基地局から受信する段階と、上記データの受信と同時に、上記データの送信が上記基地局により修正されていることを示すシグナリングを受信する段階と、上記シグナリングに基づいて上記データの復号を修正する段階とを備える。
【０２０３】
例６４：上記ＵＥはレイテンシ耐性ＵＥであり、上記データはレイテンシ耐性データであり、上記方法はさらに、上記レイテンシ耐性データが低レイテンシデータにも用いられるリソースにスケジューリングされた場合、上記シグナリングを監視する段階を備える、例６３に記載の方法。
【０２０４】
例６５：上記監視する段階は低レイテンシ間隔ごとに行われる、例６４に記載の方法。
【０２０５】
例６６：上記監視する段階は低レイテンシ間隔のグループごとに行われ、低レイテンシ間隔の上記グループの期間がレイテンシ耐性間隔より短い又はそれに等しい、例６４に記載の方法。
【０２０６】
例６７：レイテンシ耐性間隔はレイテンシ耐性スケジューリング間隔である、例６６に記載の方法。
【０２０７】
例６８：低レイテンシ間隔は低レイテンシサブフレームである、例６５から６７のいずれか１つの例に記載の方法。
【０２０８】
例６９：上記方法はさらに、ある時間間隔のある時間−周波数位置で上記シグナリングを受信する段階を備える、例６３から６８のいずれか１つの例に記載の方法。
【０２０９】
例７０：上記位置は上記時間間隔の最後の部分にある、例６９に記載の方法。
【０２１０】
例７１：上記データの上記送信が修正されていることを示す上記シグナリングは、上記データの少なくとも一部のパンクチャリングを示すシグナリングである、例６３から７０のいずれか１つの例に記載の方法。
【０２１１】
例７２：上記方法はさらに、受信データが上記送信を復号するのに不十分である場合、ＨＡＲＱ再送信を要求する段階を備える、例６３から７１のいずれか１つの例に記載の方法。
【０２１２】
例７３：リソースを用いてデータを基地局から受信するアンテナと、上記データの送信が上記基地局によって修正されていることを示す受信シグナリングを抽出するシグナリング抽出器と、上記シグナリングに基づいて上記データを復号するデコーダとを備えるＵＥ。
【０２１３】
例７４：無線通信の方法であって、第１のダウンリンクリソースによるスケジューリングされた第１のダウンリンクデータ送信を第１のＵＥに送信する段階と、シグナリングを上記第１のＵＥに送信する段階とを備え、上記シグナリングは、上記第１のダウンリンクリソースのある部分による上記第１のダウンリンク送信のある部分がパンクチャリングされていることを示す、方法。
【０２１４】
例７５：上記方法はさらに、上記第１のダウンリンクリソースの上記部分による第２のダウンリンク送信を第２のＵＥに送信する段階を備える、例７４に記載の方法。
【０２１５】
例７６：上記第２のダウンリンク送信は、上記第１のダウンリンク送信とは異なるサブキャリア間隔を有する、例７５に記載の方法。
【０２１６】
例７７：上記第２のダウンリンク送信は上記第１のダウンリンク送信より大きいサブキャリア間隔を有する、例７６に記載の方法。
【０２１７】
例７８：上記シグナリングは、上記第１のダウンリンクリソースの、上記第１のダウンリンクデータ送信がパンクチャリングされている上記部分を示す、例７４から７７のいずれか１つの例に記載の方法。
【０２１８】
例７９：上記シグナリングは動的シグナリングである、例７４から７８のいずれか１つの例に記載の方法。
【０２１９】
例８０：上記シグナリングを送信する段階は、上記第１のＵＥを含む複数のＵＥに上記シグナリングを送信する段階を含む、例７４から７９のいずれか１つの例に記載の方法。
【０２２０】
例８１：第１のダウンリンクリソースによる第１のダウンリンクデータ送信を第１のＵＥ用にスケジューリングするスケジューラと、上記第１のＵＥに送信されるシグナリングを発生させるシグナリング発生器とを備え、上記シグナリングは、上記第１のダウンリンクリソースのある部分による上記第１のダウンリンク送信のある部分がパンクチャリングされていることを示す、基地局。
【０２２１】
例８２：上記スケジューラは、上記第１のダウンリンクリソースの上記部分による第２のダウンリンク送信を第２のＵＥ用にスケジューリングする、例８１に記載の基地局。
【０２２２】
例８３：上記第２のダウンリンク送信は、上記第１のダウンリンク送信とは異なるサブキャリア間隔を有する、例８２に記載の基地局。
【０２２３】
例８４：上記第２のダウンリンク送信は上記第１のダウンリンク送信より大きいサブキャリア間隔を有する、例８３に記載の基地局。
【０２２４】
例８５：上記シグナリングは、上記第１のダウンリンクリソースの、上記第１のダウンリンクデータ送信がパンクチャリングされている上記部分を示す、例８１から８４のいずれか１つの例に記載の基地局。
【０２２５】
例８６：上記シグナリングは動的シグナリングである、例８１から８５のいずれか１つの例に記載の基地局。
【０２２６】
例８７：上記シグナリングは、上記第１のＵＥを含む複数のＵＥに送信される、例８１から８６のいずれか１つの例に記載の基地局。
【０２２７】
例８８：無線通信の方法であって、第１のダウンリンクリソースによるスケジューリングされた第１のダウンリンクデータ送信をＵＥが受信する段階と、上記第１のダウンリンクリソースのある部分による上記第１のダウンリンク送信のある部分がパンクチャリングされていることを示すシグナリングを上記ＵＥが受信する段階とを備える方法。
【０２２８】
例８９：上記シグナリングは、上記第１のダウンリンクリソースの、上記第１のダウンリンクデータ送信がパンクチャリングされている上記部分を示す、例８８に記載の方法。
【０２２９】
例９０：上記方法はさらに、上記第１のダウンリンクリソースの上記部分で受信された上記データを復号しようとすることなく、上記第１のダウンリンクデータ送信を復号する段階を備える、例８８又は８９に記載の方法。
【０２３０】
例９１：上記シグナリングは動的シグナリングである、例８８から９０のいずれか１つの例に記載の方法。
【０２３１】
例９２：第１のダウンリンクリソースによるスケジューリングされた第１のダウンリンクデータ送信を受信し、且つ上記第１のダウンリンクリソースのある部分による上記第１のダウンリンク送信のある部分がパンクチャリングされていることを示すシグナリングを受信する受信機と、上記第１のダウンリンクデータ送信の少なくとも一部を復号しようとするデコーダとを備えるＵＥ。
【０２３２】
例９３：上記シグナリングは、上記第１のダウンリンクリソースの、上記第１のダウンリンクデータ送信がパンクチャリングされている上記部分を示す、例９２に記載のＵＥ。
【０２３３】
例９４：上記デコーダは、上記第１のダウンリンクリソースの上記部分で受信された上記データを復号しようとすることなく、上記第１のダウンリンクデータ送信を復号する、例９２又は９３に記載のＵＥ。
【０２３４】
例９５：上記シグナリングは動的シグナリングである、例９２から９４のいずれか１つの例に記載のＵＥ。
【０２３５】
例９６：基地局によって実行される方法であって、上記方法は、リソースを用いてＵＥ用のデータを送信する段階と、上記データの上記送信の間に上記データの上記送信を修正する段階と、上記データの上記送信が修正されていることを示すシグナリングを送信する段階とを備える。
【０２３６】
例９７：上記リソースは、より低レイテンシの要件を有する複数の他のＵＥへの他のデータの上記送信のために予約される、例９６に記載の方法。
【０２３７】
例９８：上記シグナリングは上記データの上記送信がどのように修正されているかを示し、上記シグナリングは上記リソースを用いて送信される、例９６又は９７に記載の方法。
【０２３８】
例９９：上記データの上記送信は複数の低レイテンシサブフレームを含む時間間隔の間に行われ、上記シグナリングは上記複数の低レイテンシサブフレームのうちの１つの第１のＯＦＤＭシンボルで送信される、例９８に記載の方法。
【０２３９】
例１００：上記方法はさらに、上記複数の低レイテンシサブフレームのうちの１つの間に、より低レイテンシの要件を有し且つ上記基地局がサービスを提供する複数の他のＵＥが増加していること、及び上記複数の他のＵＥのうちの１つ又は複数に送信される新たなデータが到着したことのうちの少なくとも一方を示す情報を上記基地局が受信する段階を備え、上記データの上記送信を上記修正する段階は上記情報の受信に応答して行われる、例９９に記載の方法。
【０２４０】
例１０１：上記データの上記送信を修正する段階は、上記データの一部をパンクチャリングする段階及び上記データの送信に配分される電力を低減させる段階のうちの少なくとも一方を含む、例９６から１００のいずれか１つの例に記載の方法。
【０２４１】
例１０２：上記シグナリングは上記ＵＥに専用であり、上記シグナリングを送信する段階は、上記シグナリングのユニキャスト送信を上記ＵＥに送出する段階を含む、例９６から１０１のいずれか１つの例に記載の方法。
【０２４２】
例１０３：上記データは第１のデータであり、上記ＵＥは第１のＵＥであり、上記方法はさらに、上記リソースを用いて第２のＵＥ用の第２のデータを送信する段階と、上記第２のデータの上記送信の間に上記第２のデータの上記送信をさらに修正する段階とを備え、上記シグナリングは、上記第２のデータ送信が修正されていることも示し、上記シグナリングを送信する段階は、上記シグナリングを上記第１のＵＥ及び上記第２のＵＥにブロードキャストする段階を含む、例９６から１０１のいずれか１つの例に記載の方法。
【０２４３】
例１０４：上記データは第１のデータであり、上記第１のデータは、上記複数の他のＵＥ用の新たなデータ送信のために予約された時間／周波数リソースと、上記複数の他のＵＥ用のデータ再送信のために予約された時間／周波数リソースとの両方を用いて送信され、上記シグナリングは上記データ再送信のために予約された上記時間／周波数リソースでの上記第１のデータ送信の修正だけを示す、例９７に記載の方法。
【０２４４】
例１０５：上記シグナリングは、上記データの上記送信がどのように修正されているかを決定するために、少なくとも１つの以前の低レイテンシサブフレーム内の少なくとも１つの以前のシグナリングと組み合わされる、例９９又は１００に記載の方法。
【０２４５】
例１０６：上記データの上記送信は、複数の低レイテンシサブフレームを含む時間間隔の間に行われ、上記シグナリングは上記時間間隔の最後の低レイテンシサブフレームのＯＦＤＭシンボルで送信される、例９８に記載の方法。
【０２４６】
例１０７：リソースを用いてＵＥ用のデータを送信する少なくとも１つのアンテナと、上記データの上記送信の間に上記データの上記送信を修正する送信修正器と、上記データの上記送信が修正されていることを示すシグナリングを発生させるシグナリング発生器とを備える基地局。
【０２４７】
例１０８：ＵＥによって実行される方法であって、上記方法は、リソースを用いてデータを基地局から受信する段階と、上記データを上記受信する段階の間に、上記データの送信が上記基地局によって修正されていることを示すシグナリングを受信する段階とを備える。
【０２４８】
例１０９：上記リソースは、より低レイテンシの要件を有する複数の他のＵＥによる他のデータの上記受信のために予約される、例１０８に記載の方法。
【０２４９】
例１１０：上記シグナリングは上記データの上記送信が上記基地局によってどのように修正されているかを示し、上記シグナリングは上記リソースを用いて受信される、例１０８又は１０９に記載の方法。
【０２５０】
例１１１：上記データを上記受信する段階は複数の低レイテンシサブフレームを含む時間間隔の間に行われ、上記シグナリングは上記複数の低レイテンシサブフレームのうちの１つの第１のＯＦＤＭシンボルで受信される、例１１０に記載の方法。
【０２５１】
例１１２：上記方法はさらに、上記シグナリングを受信すると、上記データの上記送信が上記基地局によってどのように修正されているかを示す上記シグナリング内のインジケーションに基づいて、上記データの復号を修正する段階を備える、例１１０又は１１１に記載の方法。
【０２５２】
例１１３：上記シグナリングは、上記基地局が上記データの一部をパンクチャリングすること及び上記データの送信に配分される電力を低減させることのうちの少なくとも一方に起因して、上記データの上記送信が上記基地局によって修正されていることを示す、例１１０から１１２のいずれか１つの例に記載の方法。
【０２５３】
例１１４：上記シグナリングは上記ＵＥに専用であり、上記シグナリングを受信する段階は、上記シグナリングのユニキャスト送信を受信する段階を含む、例１０８から１１３のいずれか１つの例に記載の方法。
【０２５４】
例１１５：上記ＵＥは第１のＵＥであり、上記シグナリングは、第２のＵＥ用の別のデータ送信が修正されていることも示し、上記シグナリングを受信する段階は、上記シグナリングのブロードキャスト送信を受信する段階を含む、例１０８から１１３のいずれか１つの例に記載の方法。
【０２５５】
例１１６：上記データは第１のデータであり、上記第１のデータは、上記複数の他のＵＥ用の新たなデータ送信のために予約された時間／周波数リソースと、上記複数の他のＵＥ用のデータ再送信のために予約された時間／周波数リソースとの両方を用いて受信され、上記シグナリングは上記データ再送信のために予約された上記時間／周波数リソースでの上記第１のデータ送信の修正だけを示す、例１０９に記載の方法。
【０２５６】
例１１７：上記方法はさらに、上記データ送信がどのように修正されているかを決定するために、上記シグナリングを少なくとも１つの以前の低レイテンシサブフレーム内の少なくとも１つの以前のシグナリングと組み合わせる段階を備える、例１１１に記載の方法。
【０２５７】
例１１８：上記データを上記受信する段階は、複数の低レイテンシサブフレームを含む時間間隔の間に行われ、上記シグナリングは上記時間間隔内の最後の低レイテンシサブフレームのＯＦＤＭシンボルで受信される、例１１０に記載の方法。
【０２５８】
例１１９：リソースを用いてデータを基地局から受信し、上記データの上記受信の間に、上記データの送信が上記基地局によって修正されていることを示すシグナリングを受信する、少なくとも１つのアンテナを備えるＵＥ。
【０２５９】
例１２０：基地局によって実行される方法であって、上記方法は、第１のデータの第１のＵＥへの第１の送信を第１のリソースにスケジューリングする段階と、上記第１のリソースのある部分で、第２のデータを第２のＵＥに送信する段階と、上記第１の送信が修正されていることを上記第１のＵＥにシグナリングする段階とを備える。
【０２６０】
例１２１：第１のＵＥへの第１のデータの第１の送信を第１のリソースにスケジューリングするスケジューラと、上記第１のリソースのある部分で第２のデータを第２のＵＥに送信するアンテナと、上記第１のＵＥに送出されるシグナリングを発生させるシグナリング発生器とを備え、上記シグナリングは上記第１の送信が修正されていることを示す、基地局。
【０２６１】
例１２２：ＵＥによって実行される方法であって、上記方法は、リソースを用いてデータを基地局から受信する段階と、上記データの受信と同時に、上記データの送信が上記基地局により修正されていることを示すシグナリングを受信する段階と、上記シグナリングに基づいて上記データの復号を修正する段階とを備える。
【０２６２】
例１２３：リソースを用いてデータを基地局から受信するアンテナと、上記データの送信が上記基地局によって修正されていることを示す受信シグナリングを抽出するシグナリング抽出器と、上記シグナリングに基づいて上記データを復号するデコーダとを備えるＵＥ。
【０２６３】
例１２４：ＵＥによって実行される方法であって、上記方法は、ダウンリンクリソースによるダウンリンク送信を基地局から受信する段階と、シグナリングを受信する段階であって、上記シグナリングは少なくとも１つの他のＵＥにも送出され、上記シグナリングは上記ダウンリンクリソースのある部分のデータがパンクチャリングされていることを示す、段階と、上記シグナリングに基づいて上記ダウンリンク送信の復号を修正する段階とを備える。
【０２６４】
例１２５：上記方法はさらに、上記ダウンリンクリソースの時間−周波数位置を示す制御情報を半静的に受信する段階を備える、例１２４に記載の方法。
【０２６５】
例１２６：上記方法はさらに、受信データが上記ダウンリンク送信を復号するのに不十分である場合、ＨＡＲＱ再送信を要求する段階を備える、例１２４又は１２５に記載の方法。
【０２６６】
例１２７：上記方法はさらに、上記ダウンリンクリソースのパンクチャリングされている上記部分で受信された上記データを復号しようとすることなく、上記ダウンリンク送信を復号する段階を備える、例１２４から１２６のいずれか１つの例に記載の方法。
【０２６７】
例１２８：上記ダウンリンク送信はレイテンシ耐性データのダウンリンク送信であり、上記方法はさらに、上記レイテンシ耐性データが上記ダウンリンクリソースにスケジューリングされ、上記ダウンリンクリソースが低レイテンシデータにも用いられ得る場合、上記シグナリングを監視する段階を備える、例１２４から１２７のいずれか１つの例に記載の方法。
【０２６８】
例１２９：上記監視する段階は低レイテンシ間隔ごとに行われる、例１２８に記載の方法。
【０２６９】
例１３０：上記監視する段階は低レイテンシ間隔のグループごとに行われ、低レイテンシ間隔の上記グループの期間がレイテンシ耐性間隔より短い又はそれに等しい、例１２８に記載の方法。
【０２７０】
例１３１：上記レイテンシ耐性間隔はレイテンシ耐性スケジューリング間隔であり、低レイテンシ間隔は低レイテンシサブフレームである、例１３０に記載の方法。
【０２７１】
例１３２：ダウンリンクリソースによるダウンリンク送信を基地局から受信し且つシグナリングを受信する受信機であって、上記シグナリングは少なくとも１つの他のＵＥにも送出され、上記シグナリングは上記ダウンリンクリソースのある部分のデータがパンクチャリングされていることを示す、受信機と、上記シグナリングに基づいて上記ダウンリンク送信の復号を修正するデコーダとを備えるＵＥ。
【０２７２】
例１３３：上記受信機はさらに、上記ダウンリンクリソースの時間−周波数位置を示す制御情報を半静的に受信する、例１３２に記載のＵＥ。
【０２７３】
例１３４：上記デコーダは、受信データが上記ダウンリンク送信を復号するのに不十分である場合、ＨＡＲＱ再送信を要求する、例１３２又は１３３に記載のＵＥ。
【０２７４】
例１３５：上記デコーダは、上記ダウンリンクリソースのパンクチャリングされている上記部分で受信された上記データを復号しようとすることなく、上記ダウンリンク送信を復号する、例１３２から１３４のいずれか１つの例に記載のＵＥ。
【０２７５】
例１３６：上記ダウンリンク送信はレイテンシ耐性データのダウンリンク送信であり、上記受信機は、上記レイテンシ耐性データが上記ダウンリンクリソースにスケジューリングされ、上記ダウンリンクリソースが低レイテンシデータにも用いられ得る場合、上記シグナリングを監視する、例１３２から１３５のいずれか１つの例に記載のＵＥ。
【０２７６】
例１３７：上記監視は低レイテンシ間隔ごとに行われる、例１３６に記載のＵＥ。
【０２７７】
例１３８：上記監視する段階は低レイテンシ間隔のグループごとに行われ、低レイテンシ間隔の上記グループの期間がレイテンシ耐性間隔より短い又はそれに等しい、例１３６に記載のＵＥ。
【０２７８】
例１３９：上記レイテンシ耐性間隔はレイテンシ耐性スケジューリング間隔であり、低レイテンシ間隔は低レイテンシサブフレームである、例１３８に記載のＵＥ。
【０２７９】
例１４０：無線通信の方法であって、第１のダウンリンクリソースによるスケジューリングされた第１のダウンリンク送信を第１のＵＥに送信する段階と、上記第１のダウンリンクリソースによるスケジューリングされた第２のダウンリンク送信を第２のＵＥに送信する段階と、上記第１のダウンリンクリソースとは異なる第２のダウンリンクリソースによるスケジューリングされた第３のダウンリンク送信を第３のＵＥに送信する段階と、共通シグナリングを上記第１のＵＥ及び上記第２のＵＥに送信するが、上記第３のＵＥには送信しない段階であって、上記共通シグナリングは、上記第１のダウンリンク送信及び上記第２のダウンリンク送信のうちの少なくとも一方のある部分がパンクチャリングされていることを示す、段階と、上記第１のダウンリンク送信及び上記第２のダウンリンク送信のうちの上記少なくとも一方のパンクチャリングされている上記部分による第４のダウンリンク送信を第４のＵＥに送信する段階とを備える方法。
【０２８０】
例１４１：上記方法はさらに、上記第１のダウンリンクリソースの時間−周波数位置を示す制御情報を半静的に送信する段階を備える、例１４０に記載の方法。
【０２８１】
例１４２：上記方法はさらに、上記第１のダウンリンクリソースの時間−周波数位置を示す制御情報を動的に送信する段階を備える、例１４０に記載の方法。
【０２８２】
例１４３：上記第４のダウンリンク送信は、上記第１のダウンリンク送信、上記第２のダウンリンク送信、及び上記第３のダウンリンク送信のそれぞれとは異なるサブキャリア間隔を有する、例１４０から１４２のいずれか１つの例に記載の方法。
【０２８３】
例１４４：上記第４のダウンリンク送信は、上記第１のダウンリンク送信、上記第２のダウンリンク送信、及び上記第３のダウンリンク送信のそれぞれより低レイテンシの要件を有する、例１４０から１４３のいずれか１つの例に記載の方法。
【０２８４】
例１４５：上記共通シグナリングは、上記第１のダウンリンク送信及び上記第２のダウンリンク送信のうちの上記少なくとも一方のパンクチャリングされている上記部分の時間−周波数位置を示す、例１４０から１４４のいずれか１つの例に記載の方法。
【０２８５】
例１４６：第１のダウンリンクリソースによる第１のダウンリンク送信を第１のＵＥ用にスケジューリングするスケジューラであって、上記スケジューラは、上記第１のダウンリンクリソースによる第２のダウンリンク送信を第２のＵＥ用にスケジューリングし、上記スケジューラは、上記第１のダウンリンクリソースとは異なる第２のダウンリンクリソースによる第３のダウンリンク送信を第３のＵＥ用にスケジューリングする、スケジューラと、上記第１のＵＥ及び上記第２のＵＥ用であるが上記第３のＵＥ用ではない共通シグナリングを発生させるシグナリング発生器であって、上記共通シグナリングは、上記第１のダウンリンク送信及び上記第２のダウンリンク送信のうちの少なくとも一方のある部分がパンクチャリングされていることを示し、上記スケジューラは、上記第１のダウンリンク送信及び上記第２のダウンリンク送信のうちの上記少なくとも一方のパンクチャリングされている上記部分による第４のダウンリンク送信を第４のＵＥ用にスケジューリングする、シグナリング発生器とを備える基地局。
【０２８６】
例１４７：上記基地局は、上記第１のダウンリンクリソースの時間−周波数位置を示す制御情報を半静的に送信する、例１４６に記載の基地局。
【０２８７】
例１４８：上記基地局は、上記第１のダウンリンクリソースの時間−周波数位置を示す制御情報を動的に送信する、例１４６に記載の基地局。
【０２８８】
例１４９：上記第４のダウンリンク送信は、上記第１のダウンリンク送信、上記第２のダウンリンク送信、及び上記第３のダウンリンク送信のそれぞれとは異なるサブキャリア間隔を有する、例１４６から１４８のいずれか１つの例に記載の基地局。
【０２８９】
例１５０：上記第４のダウンリンク送信は、上記第１のダウンリンク送信、上記第２のダウンリンク送信、及び上記第３のダウンリンク送信のそれぞれより低レイテンシの要件を有する、例１４６から１４９のいずれか１つの例に記載の基地局。
【０２９０】
例１５１：上記共通シグナリングは、上記第１のダウンリンク送信及び上記第２のダウンリンク送信のうちの上記少なくとも一方のパンクチャリングされている上記部分の時間−周波数位置を示す、例１４６から１５０のいずれか１つの例に記載の基地局。
【０２９１】
例１５２：第１のデータの第１のＵＥへの第１の送信を第１のリソースにスケジューリングする手段と、上記第１のリソースのある部分で、第２のデータを第２のＵＥに送信する手段と、上記第１の送信が修正されていることを上記第１のＵＥにシグナリングする手段とを備える基地局。
【０２９２】
例１５３：上記レイテンシ耐性ＵＥ用のレイテンシ耐性データ送信が特定の時間−周波数リソースにおいて修正されていることをレイテンシ耐性ＵＥにシグナリングする手段を備える基地局。
【０２９３】
例１５４：リソースを用いてデータを基地局から受信する手段と、上記データの受信と同時に、上記データの送信が上記基地局により修正されていることを示すシグナリングを受信する手段と、上記シグナリングに基づいて上記データの復号を修正する手段とを備えるＵＥ。
【０２９４】
例１５５：第１のダウンリンクリソースによる第１のダウンリンクデータ送信を第１のＵＥ用にスケジューリングする手段と、上記第１のＵＥに送信されるシグナリングを発生させる手段とを備え、上記シグナリングは、上記第１のダウンリンクリソースのある部分による上記第１のダウンリンク送信のある部分がパンクチャリングされていることを示す、基地局。
【０２９５】
例１５６：複数のリソースを用いてＵＥ用のデータを送信する手段と、上記データの上記送信の間に上記データの上記送信を修正する手段と、上記データの上記送信が修正されていることを示すシグナリングを送信する手段とを含む基地局。
【０２９６】
例１５７：リソースを用いてデータを基地局から受信する手段と、上記データを上記受信する段階の間に、上記データの送信が上記基地局によって修正されていることを示すシグナリングを受信する手段とを備えるＵＥ。
【０２９７】
例１５８：第１のデータの第１のＵＥへの第１の送信を第１のリソースにスケジューリングする手段と、上記第１のリソースのある部分で、第２のデータを第２のＵＥに送信する手段と、上記第１の送信が修正されていることを上記第１のＵＥにシグナリングする手段とを備える基地局。
【０２９８】
例１５９：リソースを用いてデータを基地局から受信する手段と、上記データの受信と同時に、上記データの送信が上記基地局により修正されていることを示すシグナリングを受信する手段と、上記シグナリングに基づいて上記データの復号を修正する手段とを備えるＵＥ。
【０２９９】
例１６０：ダウンリンクリソースによるダウンリンク送信を基地局から受信する手段と、シグナリングを受信する手段であって、上記シグナリングは少なくとも１つの他のＵＥにも送出され、上記シグナリングは上記ダウンリンクリソースのある部分のデータがパンクチャリングされていることを示す、手段と、上記シグナリングに基づいて上記ダウンリンク送信の復号を修正する手段とを備えるＵＥ。
【０３００】
例１６１：第１のダウンリンクリソースによるスケジューリングされた第１のダウンリンク送信を第１のＵＥに送信する手段と、上記第１のダウンリンクリソースによるスケジューリングされた第２のダウンリンク送信を第２のＵＥに送信する手段と、上記第１のダウンリンクリソースとは異なる第２のダウンリンクリソースによるスケジューリングされた第３のダウンリンク送信を第３のＵＥに送信する手段と、共通シグナリングを上記第１のＵＥ及び上記第２のＵＥに送信するが、上記第３のＵＥには送信しない手段であって、上記共通シグナリングは、上記第１のダウンリンク送信及び上記第２のダウンリンク送信のうちの少なくとも一方のある部分がパンクチャリングされていることを示す、手段と、上記第１のダウンリンク送信及び上記第２のダウンリンク送信のうちの上記少なくとも一方のパンクチャリングされている上記部分による第４のダウンリンク送信を第４のＵＥに送信する手段とを備える基地局。
【０３０１】
例１Ａ：ユーザ機器（ＵＥ）によって実行される方法であって、上記方法は、第１のダウンリンクリソースによるダウンリンク送信を基地局から受信する段階と、シグナリングを受信する段階であって、上記シグナリングは少なくとも１つの他のＵＥにも送出され、上記シグナリングは上記第１のダウンリンクリソースのある部分のデータがパンクチャリングされていることを示す、段階と、上記シグナリングに基づいて上記ダウンリンク送信の復号を修正する段階とを備える方法。
例２Ａ：上記方法はさらに、上記第１のダウンリンクリソースの時間−周波数位置を示す制御情報を半静的に受信する段階を備える、例１Ａに記載の方法。
例３Ａ：上記方法はさらに、受信データが上記ダウンリンク送信を復号するのに不十分である場合、ハイブリッド自動再送要求（ＨＡＲＱ）再送信を要求する段階を備える、例１Ａに記載の方法。
例４Ａ：上記ダウンリンク送信の復号を修正する段階は、上記第１のダウンリンクリソースのパンクチャリングされている上記部分で受信された上記データのビットを無視する段階を含む、例１Ａに記載の方法。
例５Ａ：上記ダウンリンク送信はレイテンシ耐性データのダウンリンク送信であり、上記方法はさらに、上記レイテンシ耐性データが上記第１のダウンリンクリソースにスケジューリングされ、上記第１のダウンリンクリソースが低レイテンシデータにも用いられ得る場合、上記シグナリングを監視する段階を備える、例１Ａに記載の方法。
例６Ａ：上記監視する段階は低レイテンシ間隔ごとに行われる、例５Ａに記載の方法。
例７Ａ：上記監視する段階は低レイテンシ間隔のグループごとに行われる、例５Ａに記載の方法。
例８Ａ：上記監視する段階は低レイテンシ間隔のグループの最後の部分で行われる、例７Ａに記載の方法。
例９Ａ：低レイテンシ間隔の上記グループの期間がレイテンシ耐性間隔より短い又はそれに等しく、上記レイテンシ耐性間隔はレイテンシ耐性スケジューリング間隔であり、低レイテンシ間隔が低レイテンシサブフレームである、例７Ａに記載の方法。
例１０Ａ：ユーザ機器（ＵＥ）であって、第１のダウンリンクリソースによるダウンリンク送信を基地局から受信し且つシグナリングを受信する受信機であって、上記シグナリングは少なくとも１つの他のＵＥにも送出され、上記シグナリングは上記第１のダウンリンクリソースのある部分のデータがパンクチャリングされていることを示す、受信機と、上記シグナリングに基づいて上記ダウンリンク送信の復号を修正するデコーダとを備えるＵＥ。
例１１Ａ：上記受信機はさらに、上記第１のダウンリンクリソースの時間−周波数位置を示す制御情報を半静的に受信する、例１０Ａに記載のＵＥ。
例１２Ａ：上記デコーダは、受信データが上記ダウンリンク送信を復号するのに不十分である場合、ハイブリッド自動再送要求（ＨＡＲＱ）再送信を要求する、例１０Ａに記載のＵＥ。
例１３Ａ：上記デコーダは、上記第１のダウンリンクリソースのパンクチャリングされている上記部分で受信した上記データのビットを無視することにより、上記ダウンリンク送信の復号を修正する、例１０Ａに記載のＵＥ。
例１４Ａ：上記ダウンリンク送信はレイテンシ耐性データのダウンリンク送信であり、上記受信機は、上記レイテンシ耐性データが上記第１のダウンリンクリソースにスケジューリングされ、上記第１のダウンリンクリソースが低レイテンシデータにも用いられ得る場合、上記シグナリングを監視する、例１０Ａに記載のＵＥ。
例１５Ａ：上記監視は低レイテンシ間隔ごとに行われる、例１４Ａに記載のＵＥ。
例１６Ａ：上記監視は低レイテンシ間隔のグループごとに行われる、例１４Ａに記載のＵＥ。
例１７Ａ：上記監視は低レイテンシ間隔のグループの最後の部分で行われる、例１６Ａに記載のＵＥ。
例１８Ａ：低レイテンシ間隔の上記グループの期間がレイテンシ耐性間隔より短い又はそれに等しく、上記レイテンシ耐性間隔はレイテンシ耐性スケジューリング間隔であり、低レイテンシ間隔が低レイテンシサブフレームである、例１６Ａに記載のＵＥ。
例１９Ａ：無線通信の方法であって、第１のダウンリンクリソースによるスケジューリングされた第１のダウンリンク送信を第１のユーザ機器（ＵＥ）に送信する段階と、上記第１のダウンリンクリソースによるスケジューリングされた第２のダウンリンク送信を第２のＵＥに送信する段階と、上記第１のダウンリンクリソースとは異なる第２のダウンリンクリソースによるスケジューリングされた第３のダウンリンク送信を第３のＵＥに送信する段階と、共通シグナリングを上記第１のＵＥ及び上記第２のＵＥに送信するが、上記第３のＵＥには送信しない段階であって、上記共通シグナリングは、上記第１のダウンリンク送信及び上記第２のダウンリンク送信のうちの少なくとも一方のある部分がパンクチャリングされていることを示す、段階と、上記第１のダウンリンク送信及び上記第２のダウンリンク送信のうちの上記少なくとも一方のパンクチャリングされている上記部分による第４のダウンリンク送信を第４のＵＥに送信する段階とを備える方法。
例２０Ａ：上記方法はさらに、上記第１のダウンリンクリソースの時間−周波数位置を示す制御情報を半静的に送信する段階を備える、例１９Ａに記載の方法。
例２１Ａ：上記方法はさらに、上記第１のダウンリンクリソースの時間−周波数位置を示す制御情報を動的に送信する段階を備える、例１９Ａに記載の方法。
例２２Ａ：上記第４のダウンリンク送信は、上記第１のダウンリンク送信、上記第２のダウンリンク送信、及び上記第３のダウンリンク送信のうちの少なくとも１つとは異なるサブキャリア間隔を有する、例１９Ａに記載の方法。
例２３Ａ：上記第４のダウンリンク送信は、上記第１のダウンリンク送信、上記第２のダウンリンク送信、及び上記第３のダウンリンク送信のそれぞれより低レイテンシの要件を有する、例１９Ａに記載の方法。
例２４Ａ：上記共通シグナリングは、上記第１のダウンリンクリソースのパンクチャリングされている上記部分の時間−周波数位置を示す、例１９Ａに記載の方法。
例２５Ａ：上記共通シグナリングはビットマップを含む、例２４Ａに記載の方法。
例２６Ａ：上記ビットマップは複数のビットを含み、上記複数のビットの各ビットは個々の低レイテンシサブフレームに対応し、上記個々の低レイテンシサブフレームがパンクチャリングされているかどうかを示す、例２５Ａに記載の方法。
例２７Ａ：上記共通シグナリングは、複数の低レイテンシサブフレームのそれぞれの個々の値を示し、上記値は上記サブフレームのどの部分がパンクチャリングされているかを示す、例２４Ａに記載の方法。
例２８Ａ：上記値は複数のビットで表される、例２７Ａに記載の方法。
例２９Ａ：第１のダウンリンクリソースによる第１のダウンリンク送信を第１のユーザ機器（ＵＥ）用にスケジューリングするスケジューラであって、上記スケジューラは、上記第１のダウンリンクリソースによる第２のダウンリンク送信を第２のＵＥ用にスケジューリングし、上記スケジューラは、上記第１のダウンリンクリソースとは異なる第２のダウンリンクリソースによる第３のダウンリンク送信を第３のＵＥ用にスケジューリングする、スケジューラと、上記第１のＵＥ及び上記第２のＵＥ用であるが上記第３のＵＥ用ではない共通シグナリングを発生させるシグナリング発生器であって、上記共通シグナリングは、上記第１のダウンリンク送信及び上記第２のダウンリンク送信のうちの少なくとも一方のある部分がパンクチャリングされていることを示し、上記スケジューラは、上記第１のダウンリンク送信及び上記第２のダウンリンク送信のうちの上記少なくとも一方のパンクチャリングされている上記部分による第４のダウンリンク送信を第４のＵＥ用にスケジューリングする、シグナリング発生器とを備える基地局。
例３０Ａ：上記基地局は、上記第１のダウンリンクリソースの時間−周波数位置を示す制御情報を半静的に送信する、例２９Ａに記載の基地局。
例３１Ａ：上記基地局は、上記第１のダウンリンクリソースの時間−周波数位置を示す制御情報を動的に送信する、例２９Ａに記載の基地局。
例３２Ａ：上記第４のダウンリンク送信は、上記第１のダウンリンク送信、上記第２のダウンリンク送信、及び上記第３のダウンリンク送信のうちの少なくとも１つとは異なるサブキャリア間隔を有する、例２９Ａに記載の基地局。
例３３Ａ：上記第４のダウンリンク送信は、上記第１のダウンリンク送信、上記第２のダウンリンク送信、及び上記第３のダウンリンク送信のそれぞれより低レイテンシの要件を有する、例２９Ａに記載の基地局。
例３４Ａ：上記共通シグナリングは、上記第１のダウンリンク送信及び上記第２のダウンリンク送信のうちの上記少なくとも一方のパンクチャリングされている上記部分の時間−周波数位置を示す、例２９Ａに記載の基地局。
例３５Ａ：上記共通シグナリングは、上記第１のダウンリンクリソースのパンクチャリングされている上記部分の時間−周波数位置を示す、例２９Ａに記載の基地局。
例３６Ａ：上記共通シグナリングはビットマップを含む、例３５Ａに記載の基地局。
例３７Ａ：上記ビットマップは複数のビットを含み、上記複数のビットの各ビットは個々の低レイテンシサブフレームに対応し、上記個々の低レイテンシサブフレームがパンクチャリングされているかどうかを示す、例３６Ａに記載の基地局。
例３８Ａ：上記共通シグナリングは、複数の低レイテンシサブフレームのそれぞれの個々の値を示し、上記値は上記サブフレームのどの部分がパンクチャリングされているかを示す、例３５Ａに記載の基地局。
例３９Ａ：上記値は複数のビットで表される、例３８に記載の基地局。
［結語］
【０３０２】
本発明の具体的な特徴及び実施形態を参照して本発明を説明してきたが、様々な修正及び組み合わせを本発明から逸脱することなく本発明に対して行うことができる。それに応じて、本明細書及び図面は、添付の特許請求の範囲により定められる本発明の一部の実施形態の単なる説明とみなされ、本発明の範囲に含まれる全ての修正例、変形例、組み合わせ例、又は均等例を包含することが企図されている。したがって、本発明及びその利点が詳細に説明されているが、添付の特許請求の範囲によって定められる本発明から逸脱することなく、様々な変更、置き換え、及び改変をここで行うことができる。さらに、本出願の範囲は、本明細書で説明されるプロセス、機械、生産物、組成物、手段、方法、及び段階に関する特定の実施形態に限定されることを意図したものではない。当業者であれば本発明の開示から容易に理解できるように、本明細書で説明された対応する実施形態と実質的に同じ機能を実行する又は実質的に同じ結果を実現する、現在存在しているか又は後に開発されるプロセス、機械、生産物、組成物、手段、方法、又は段階が、本発明に従って利用され得る。それに応じて、添付の特許請求の範囲は、その範囲に、そのようなプロセス、機械、生産物、組成物、手段、方法又は段階を含むことを意図している。
【０３０３】
さらに、本明細書で例示された、命令を実行する任意のモジュール、コンポーネント、又はデバイスは、非一時的コンピュータ／プロセッサ可読記憶媒体又はコンピュータ／プロセッサ可読命令、データ構造体、プログラムモジュール、及び／若しくは他のデータなどの情報を格納する媒体を含んでも、又は別の方法でこれらの媒体にアクセスしてもよい。非一時的コンピュータ／プロセッサ可読記憶媒体の例に関する非包括的なリストには、磁気カセット、磁気テープ、磁気ディスク記憶装置、又は他の磁気記憶装置、コンパクトディスクリードオンリメモリ（ＣＤ−ＲＯＭ）、デジタルビデオディスク若しくはデジタル多用途ディスク（ＤＶＤ）、ブルーレイディスク（登録商標）、又は他の光記憶装置などの光ディスク、任意の方法若しくは技術で実現された揮発性及び不揮発性の着脱できる及び着脱できない媒体、ランダムアクセスメモリ（ＲＡＭ）、リードオンリメモリ（ＲＯＭ）、電気的消去可能プログラム可能型リードオンリメモリ（ＥＥＰＲＯＭ）、フラッシュメモリ、又は他のメモリ装置が含まれる。そのようなあらゆる非一時的コンピュータ／プロセッサ記憶媒体は、デバイスの一部であっても、又はデバイスにとってアクセス可能であっても若しくはデバイスに接続可能であってもよい。本明細書で説明されたあらゆる応用例又はモジュールは、そのような非一時的コンピュータ／プロセッサ可読記憶媒体により格納されるか、又は別の方法で保持され得るコンピュータ／プロセッサ可読／実行可能命令を用いて実現されてよい。
【図１】
2019526979.tif 000003
【図２】
2019526979.tif 000004
【図３】
2019526979.tif 000005
【図４】
2019526979.tif 000006
【図５】
2019526979.tif 000007
【図６】
2019526979.tif 000008
【図７】
2019526979.tif 000009
【図８】
2019526979.tif 000010
【図９】
2019526979.tif 000011
【図１０】
2019526979.tif 000012
【図１１】
2019526979.tif 000013
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって実行される方法であって、前記方法は、
第１のダウンリンクリソースによるダウンリンク送信を基地局から受信する段階と、
シグナリングを受信する段階であって、前記シグナリングは複数のＵＥに共通であり、前記シグナリングは１つ又は複数の他のサブフレームの前記第１のダウンリンクリソースのある部分のデータがパンクチャリングされていることを示す、段階と
を備える方法。
【請求項２】
前記方法はさらに、前記シグナリングに基づいて前記ダウンリンク送信の復号を修正する段階を備える、請求項１に記載の方法。
【請求項３】
前記シグナリングは、１つ又は複数の先行のサブフレームのデータがパンクチャリングされていることを示す、請求項１又は２に記載の方法。
【請求項４】
前記ＵＥは全てのサブフレームにおいて前記シグナリングを監視するわけではない、請求項１から３のいずれか一項に記載の方法。
【請求項５】
前記シグナリングはビットマップを含む、請求項１から４のいずれか一項に記載の方法。
【請求項６】
前記方法はさらに、前記第１のダウンリンクリソースの時間−周波数位置を示す制御情報を半静的に受信する段階を備える、請求項１に記載の方法。
【請求項７】
前記ダウンリンク送信の復号を修正する段階は、前記第１のダウンリンクリソースのパンクチャリングされている前記部分で受信された前記データのビットを無視する段階を含む、請求項２に記載の方法。
【請求項８】
前記ダウンリンク送信はレイテンシ耐性データのダウンリンク送信であり、
前記方法はさらに、前記レイテンシ耐性データが前記第１のダウンリンクリソースにスケジューリングされ、前記第１のダウンリンクリソースが低レイテンシデータにも用いられるように配分された場合、前記シグナリングを監視する段階を備える、請求項２に記載の方法。
【請求項９】
ユーザ機器（ＵＥ）であって、
第１のダウンリンクリソースによるダウンリンク送信を基地局から受信し、且つシグナリングを受信する受信機を備え、前記シグナリングは複数のＵＥに共通であり、前記シグナリングは前記第１のダウンリンクリソースのある部分のデータがパンクチャリングされていることを示す、ＵＥ。
【請求項１０】
前記ＵＥはさらに、前記シグナリングに基づいて前記ダウンリンク送信の復号を修正するデコーダを備える、請求項９に記載のＵＥ。
【請求項１１】
前記シグナリングは、１つ又は複数の先行のサブフレームのデータがパンクチャリングされていることを示す、請求項９又は１０に記載のＵＥ。
【請求項１２】
前記ＵＥは全てのサブフレームにおいて前記シグナリングを監視するわけではない、請求項９から１１のいずれか一項に記載のＵＥ。
【請求項１３】
前記シグナリングはビットマップを含む、請求項９から１２のいずれか一項に記載のＵＥ。
【請求項１４】
前記受信機はさらに、前記第１のダウンリンクリソースの時間−周波数位置を示す制御情報を半静的に受信する、請求項９に記載のＵＥ。
【請求項１５】
前記デコーダは、前記第１のダウンリンクリソースのパンクチャリングされている前記部分で受信した前記データのビットを無視することにより、前記ダウンリンク送信の復号を修正する、請求項１０に記載のＵＥ。
【請求項１６】
無線通信の方法であって、
第１のダウンリンクリソースによるスケジューリングされた第１のダウンリンク送信を第１のユーザ機器（ＵＥ）に送信する段階と、
前記第１のダウンリンクリソースによるスケジューリングされた第２のダウンリンク送信を第２のＵＥに送信する段階と、
前記第１のダウンリンクリソースとは異なる第２のダウンリンクリソースによるスケジューリングされた第３のダウンリンク送信を第３のＵＥに送信する段階と、
共通シグナリングを前記第１のＵＥ及び前記第２のＵＥに送信するが、前記第３のＵＥには送信しない段階であって、前記共通シグナリングは、１つ又は複数の他のサブフレームによる前記第１のダウンリンク送信及び前記第２のダウンリンク送信のうちの少なくとも一方のある部分がパンクチャリングされていることを示す、段階と、
前記第１のダウンリンク送信及び前記第２のダウンリンク送信のうちの前記少なくとも一方のパンクチャリングされている前記部分による第４のダウンリンク送信を第４のＵＥに送信する段階と
を備える方法。
【請求項１７】
前記共通シグナリングは、１つ又は複数の先行のサブフレームのデータがパンクチャリングされていることを示す、請求項１６に記載の方法。
【請求項１８】
前記共通シグナリングはビットマップを含む、請求項１６又は１７に記載の方法。
【請求項１９】
第１のダウンリンクリソースによる第１のダウンリンク送信を第１のユーザ機器（ＵＥ）用にスケジューリングするスケジューラであって、
前記スケジューラは、前記第１のダウンリンクリソースによる第２のダウンリンク送信を第２のＵＥ用にスケジューリングし、
前記スケジューラは、前記第１のダウンリンクリソースとは異なる第２のダウンリンクリソースによる第３のダウンリンク送信を第３のＵＥ用にスケジューリングする、スケジューラと、
前記第１のＵＥ及び前記第２のＵＥ用であるが前記第３のＵＥ用ではない共通シグナリングを発生させるシグナリング発生器であって、前記共通シグナリングは、１つ又は複数の他のサブフレームによる前記第１のダウンリンク送信及び前記第２のダウンリンク送信のうちの少なくとも一方のある部分がパンクチャリングされていることを示し、
前記スケジューラは、前記第１のダウンリンク送信及び前記第２のダウンリンク送信のうちの前記少なくとも一方のパンクチャリングされている前記部分による第４のダウンリンク送信を第４のＵＥ用にスケジューリングする、シグナリング発生器と
を備える基地局。
【請求項２０】
前記共通シグナリングは、１つ又は複数の先行のサブフレームのデータがパンクチャリングされていることを示す、請求項１９に記載の基地局。
【請求項２１】
前記共通シグナリングはビットマップを含む、請求項１９又は２０に記載の基地局。
【手続補正２】
【補正対象書類名】明細書
【補正対象項目名】０１２７
【補正方法】変更
【補正の内容】
【０１２７】
図８は、ＵＥ１０４ａ用の単一のインジケータシーケンス２３２だけが、レイテンシ耐性ＵＥのスケジューリング間隔の最後の部分で送信される一例を示す。このインジケータシーケンス２３２は、複数のＵＥにブロードキャストされても、又は影響を受ける単一のＵＥにユニキャストされてもよい。インジケータシーケンス２３２が複数のＵＥにブロードキャストされた場合、複数のＵＥ、すなわちＵＥのグループは、インジケーションシグナリングが提供される間隔の最後の部分の近くに設定されたリソースを監視する。この例では、レイテンシ耐性ＵＥのスケジューリング間隔は任意の所与の間隔を意味し、インジケーションシグナリングは、低レイテンシ送信の複数のスケジューリング期間を潜在的に含む間隔の最後の部分の近くで監視される。換言すれば、図８は、領域１２８にスケジューリングされた／領域１２８と重複するＵＥのグループが、間隔の最後の部分で共通シグナリング２３２を監視する一例を意味する。
【手続補正３】
【補正対象書類名】明細書
【補正対象項目名】０１７４
【補正方法】変更
【補正の内容】
【０１７４】
例３５：上記シグナリングは、ある間隔のある位置で送出され、上記シグナリングは上記間隔の少なくとも一部の間に上記第１の送信のパンクチャリングを示す、例１から３４のいずれか１つの例に記載の方法。
【手続補正４】
【補正対象書類名】明細書
【補正対象項目名】０３０１
【補正方法】変更
【補正の内容】
【０３０１】
例１Ａ：ユーザ機器（ＵＥ）によって実行される方法であって、上記方法は、第１のダウンリンクリソースによるダウンリンク送信を基地局から受信する段階と、シグナリングを受信する段階であって、上記シグナリングは少なくとも１つの他のＵＥにも送出され、上記シグナリングは上記第１のダウンリンクリソースのある部分のデータがパンクチャリングされていることを示す、段階と、上記シグナリングに基づいて上記ダウンリンク送信の復号を修正する段階とを備える方法。
例２Ａ：上記方法はさらに、上記第１のダウンリンクリソースの時間−周波数位置を示す制御情報を半静的に受信する段階を備える、例１Ａに記載の方法。
例３Ａ：上記方法はさらに、受信データが上記ダウンリンク送信を復号するのに不十分である場合、ハイブリッド自動再送要求（ＨＡＲＱ）再送信を要求する段階を備える、例１Ａに記載の方法。
例４Ａ：上記ダウンリンク送信の復号を修正する段階は、上記第１のダウンリンクリソースのパンクチャリングされている上記部分で受信された上記データのビットを無視する段階を含む、例１Ａに記載の方法。
例５Ａ：上記ダウンリンク送信はレイテンシ耐性データのダウンリンク送信であり、上記方法はさらに、上記レイテンシ耐性データが上記第１のダウンリンクリソースにスケジューリングされ、上記第１のダウンリンクリソースが低レイテンシデータにも用いられ得る場合、上記シグナリングを監視する段階を備える、例１Ａに記載の方法。
例６Ａ：上記監視する段階は低レイテンシ間隔ごとに行われる、例５Ａに記載の方法。
例７Ａ：上記監視する段階は低レイテンシ間隔のグループごとに行われる、例５Ａに記載の方法。
例８Ａ：上記監視する段階は低レイテンシ間隔のグループの最後の部分で行われる、例７Ａに記載の方法。
例９Ａ：低レイテンシ間隔の上記グループの期間がレイテンシ耐性間隔より短い又はそれに等しく、上記レイテンシ耐性間隔はレイテンシ耐性スケジューリング間隔であり、低レイテンシ間隔が低レイテンシサブフレームである、例７Ａに記載の方法。
例１０Ａ：ユーザ機器（ＵＥ）であって、第１のダウンリンクリソースによるダウンリンク送信を基地局から受信し且つシグナリングを受信する受信機であって、上記シグナリングは少なくとも１つの他のＵＥにも送出され、上記シグナリングは上記第１のダウンリンクリソースのある部分のデータがパンクチャリングされていることを示す、受信機と、上記シグナリングに基づいて上記ダウンリンク送信の復号を修正するデコーダとを備えるＵＥ。
例１１Ａ：上記受信機はさらに、上記第１のダウンリンクリソースの時間−周波数位置を示す制御情報を半静的に受信する、例１０Ａに記載のＵＥ。
例１２Ａ：上記デコーダは、受信データが上記ダウンリンク送信を復号するのに不十分である場合、ハイブリッド自動再送要求（ＨＡＲＱ）再送信を要求する、例１０Ａに記載のＵＥ。
例１３Ａ：上記デコーダは、上記第１のダウンリンクリソースのパンクチャリングされている上記部分で受信した上記データのビットを無視することにより、上記ダウンリンク送信の復号を修正する、例１０Ａに記載のＵＥ。
例１４Ａ：上記ダウンリンク送信はレイテンシ耐性データのダウンリンク送信であり、上記受信機は、上記レイテンシ耐性データが上記第１のダウンリンクリソースにスケジューリングされ、上記第１のダウンリンクリソースが低レイテンシデータにも用いられ得る場合、上記シグナリングを監視する、例１０Ａに記載のＵＥ。
例１５Ａ：上記監視は低レイテンシ間隔ごとに行われる、例１４Ａに記載のＵＥ。
例１６Ａ：上記監視は低レイテンシ間隔のグループごとに行われる、例１４Ａに記載のＵＥ。
例１７Ａ：上記監視は低レイテンシ間隔のグループの最後の部分で行われる、例１６Ａに記載のＵＥ。
例１８Ａ：低レイテンシ間隔の上記グループの期間がレイテンシ耐性間隔より短い又はそれに等しく、上記レイテンシ耐性間隔はレイテンシ耐性スケジューリング間隔であり、低レイテンシ間隔が低レイテンシサブフレームである、例１６Ａに記載のＵＥ。
例１９Ａ：無線通信の方法であって、第１のダウンリンクリソースによるスケジューリングされた第１のダウンリンク送信を第１のユーザ機器（ＵＥ）に送信する段階と、上記第１のダウンリンクリソースによるスケジューリングされた第２のダウンリンク送信を第２のＵＥに送信する段階と、上記第１のダウンリンクリソースとは異なる第２のダウンリンクリソースによるスケジューリングされた第３のダウンリンク送信を第３のＵＥに送信する段階と、共通シグナリングを上記第１のＵＥ及び上記第２のＵＥに送信するが、上記第３のＵＥには送信しない段階であって、上記共通シグナリングは、上記第１のダウンリンク送信及び上記第２のダウンリンク送信のうちの少なくとも一方のある部分がパンクチャリングされていることを示す、段階と、上記第１のダウンリンク送信及び上記第２のダウンリンク送信のうちの上記少なくとも一方のパンクチャリングされている上記部分による第４のダウンリンク送信を第４のＵＥに送信する段階とを備える方法。
例２０Ａ：上記方法はさらに、上記第１のダウンリンクリソースの時間−周波数位置を示す制御情報を半静的に送信する段階を備える、例１９Ａに記載の方法。
例２１Ａ：上記方法はさらに、上記第１のダウンリンクリソースの時間−周波数位置を示す制御情報を動的に送信する段階を備える、例１９Ａに記載の方法。
例２２Ａ：上記第４のダウンリンク送信は、上記第１のダウンリンク送信、上記第２のダウンリンク送信、及び上記第３のダウンリンク送信のうちの少なくとも１つとは異なるサブキャリア間隔を有する、例１９Ａに記載の方法。
例２３Ａ：上記第４のダウンリンク送信は、上記第１のダウンリンク送信、上記第２のダウンリンク送信、及び上記第３のダウンリンク送信のそれぞれより低レイテンシの要件を有する、例１９Ａに記載の方法。
例２４Ａ：上記共通シグナリングは、上記第１のダウンリンクリソースのパンクチャリングされている上記部分の時間−周波数位置を示す、例１９Ａに記載の方法。
例２５Ａ：上記共通シグナリングはビットマップを含む、例２４Ａに記載の方法。
例２６Ａ：上記ビットマップは複数のビットを含み、上記複数のビットの各ビットは個々の低レイテンシサブフレームに対応し、上記個々の低レイテンシサブフレームがパンクチャリングされているかどうかを示す、例２５Ａに記載の方法。
例２７Ａ：上記共通シグナリングは、複数の低レイテンシサブフレームのそれぞれの個々の値を示し、上記値は上記サブフレームのどの部分がパンクチャリングされているかを示す、例２４Ａに記載の方法。
例２８Ａ：上記値は複数のビットで表される、例２７Ａに記載の方法。
例２９Ａ：第１のダウンリンクリソースによる第１のダウンリンク送信を第１のユーザ機器（ＵＥ）用にスケジューリングするスケジューラであって、上記スケジューラは、上記第１のダウンリンクリソースによる第２のダウンリンク送信を第２のＵＥ用にスケジューリングし、上記スケジューラは、上記第１のダウンリンクリソースとは異なる第２のダウンリンクリソースによる第３のダウンリンク送信を第３のＵＥ用にスケジューリングする、スケジューラと、上記第１のＵＥ及び上記第２のＵＥ用であるが上記第３のＵＥ用ではない共通シグナリングを発生させるシグナリング発生器であって、上記共通シグナリングは、上記第１のダウンリンク送信及び上記第２のダウンリンク送信のうちの少なくとも一方のある部分がパンクチャリングされていることを示し、上記スケジューラは、上記第１のダウンリンク送信及び上記第２のダウンリンク送信のうちの上記少なくとも一方のパンクチャリングされている上記部分による第４のダウンリンク送信を第４のＵＥ用にスケジューリングする、シグナリング発生器とを備える基地局。
例３０Ａ：上記基地局は、上記第１のダウンリンクリソースの時間−周波数位置を示す制御情報を半静的に送信する、例２９Ａに記載の基地局。
例３１Ａ：上記基地局は、上記第１のダウンリンクリソースの時間−周波数位置を示す制御情報を動的に送信する、例２９Ａに記載の基地局。
例３２Ａ：上記第４のダウンリンク送信は、上記第１のダウンリンク送信、上記第２のダウンリンク送信、及び上記第３のダウンリンク送信のうちの少なくとも１つとは異なるサブキャリア間隔を有する、例２９Ａに記載の基地局。
例３３Ａ：上記第４のダウンリンク送信は、上記第１のダウンリンク送信、上記第２のダウンリンク送信、及び上記第３のダウンリンク送信のそれぞれより低レイテンシの要件を有する、例２９Ａに記載の基地局。
例３４Ａ：上記共通シグナリングは、上記第１のダウンリンク送信及び上記第２のダウンリンク送信のうちの上記少なくとも一方のパンクチャリングされている上記部分の時間−周波数位置を示す、例２９Ａに記載の基地局。
例３５Ａ：上記共通シグナリングは、上記第１のダウンリンクリソースのパンクチャリングされている上記部分の時間−周波数位置を示す、例２９Ａに記載の基地局。
例３６Ａ：上記共通シグナリングはビットマップを含む、例３５Ａに記載の基地局。
例３７Ａ：上記ビットマップは複数のビットを含み、上記複数のビットの各ビットは個々の低レイテンシサブフレームに対応し、上記個々の低レイテンシサブフレームがパンクチャリングされているかどうかを示す、例３６Ａに記載の基地局。
例３８Ａ：上記共通シグナリングは、複数の低レイテンシサブフレームのそれぞれの個々の値を示し、上記値は上記サブフレームのどの部分がパンクチャリングされているかを示す、例３５Ａに記載の基地局。
例３９Ａ：上記値は複数のビットで表される、例３８Ａに記載の基地局。
例１Ｂ：ユーザ機器（ＵＥ）によって実行される方法であって、上記方法は、第１のダウンリンクリソースによるダウンリンク送信を基地局から受信する段階と、シグナリングを受信する段階であって、上記シグナリングは少なくとも１つの他のＵＥにも送出され、上記シグナリングは上記第１のダウンリンクリソースのある部分のデータがパンクチャリングされていることを示す、段階と、上記シグナリングに基づいて上記ダウンリンク送信の復号を修正する段階とを備える方法。
例２Ｂ：上記方法はさらに、上記第１のダウンリンクリソースの時間−周波数位置を示す制御情報を半静的に受信する段階を備える、例１Ｂに記載の方法。
例３Ｂ：上記方法はさらに、受信データが上記ダウンリンク送信を復号するのに不十分である場合、ハイブリッド自動再送要求（ＨＡＲＱ）再送信を要求する段階を備える、例１Ｂから２Ｂのいずれかに記載の方法。
例４Ｂ：上記ダウンリンク送信の復号を修正する段階は、上記第１のダウンリンクリソースのパンクチャリングされている上記部分で受信された上記データのビットを無視する段階を含む、例１Ｂから３Ｂのいずれかに記載の方法。
例５Ｂ：上記ダウンリンク送信はレイテンシ耐性データのダウンリンク送信であり、上記方法はさらに、上記レイテンシ耐性データが上記第１のダウンリンクリソースにスケジューリングされ、上記第１のダウンリンクリソースが低レイテンシデータにも用いられるように配分された場合、上記シグナリングを監視する段階を備える、例１Ｂから４Ｂのいずれかに記載の方法。
例６Ｂ：上記監視する段階は低レイテンシ間隔ごとに行われる、例５Ｂに記載の方法。
例７Ｂ：上記監視する段階は低レイテンシ間隔のグループごとに行われる、例５Ｂに記載の方法。
例８Ｂ：上記監視する段階は低レイテンシ間隔のグループの最後の部分で行われる、例７Ｂに記載の方法。
例９Ｂ：低レイテンシ間隔の上記グループの期間がレイテンシ耐性間隔より短い又はそれに等しく、上記レイテンシ耐性間隔はレイテンシ耐性スケジューリング間隔であり、低レイテンシ間隔が低レイテンシサブフレームである、例７Ｂに記載の方法。
例１０Ｂ：ユーザ機器（ＵＥ）であって、第１のダウンリンクリソースによるダウンリンク送信を基地局から受信し且つシグナリングを受信する受信機であって、上記シグナリングは少なくとも１つの他のＵＥにも送出され、上記シグナリングは上記第１のダウンリンクリソースのある部分のデータがパンクチャリングされていることを示す、受信機と、上記シグナリングに基づいて上記ダウンリンク送信の復号を修正するデコーダとを備えるＵＥ。
例１１Ｂ：上記受信機はさらに、上記第１のダウンリンクリソースの時間−周波数位置を示す制御情報を半静的に受信する、例１０Ｂに記載のＵＥ。
例１２Ｂ：上記デコーダは、受信データが上記ダウンリンク送信を復号するのに不十分である場合、ハイブリッド自動再送要求（ＨＡＲＱ）再送信を要求する、例１０Ｂから１１Ｂのいずれかに記載のＵＥ。
例１３Ｂ：上記デコーダは、上記第１のダウンリンクリソースのパンクチャリングされている上記部分で受信した上記データのビットを無視することにより、上記ダウンリンク送信の復号を修正する、例１０Ｂから１２Ｂのいずれかに記載のＵＥ。
例１４Ｂ：上記ダウンリンク送信はレイテンシ耐性データのダウンリンク送信であり、上記受信機は、上記レイテンシ耐性データが上記第１のダウンリンクリソースにスケジューリングされ、上記第１のダウンリンクリソースが低レイテンシデータにも用いられるように配分された場合、上記シグナリングを監視する、例１０Ｂから１３Ｂのいずれかに記載のＵＥ。
例１５Ｂ：上記監視は低レイテンシ間隔ごとに行われる、例１４Ｂに記載のＵＥ。
例１６Ｂ：上記監視は低レイテンシ間隔のグループごとに行われる、例１４Ｂに記載のＵＥ。
例１７Ｂ：上記監視は低レイテンシ間隔のグループの最後の部分で行われる、例１６Ｂに記載のＵＥ。
例１８Ｂ：低レイテンシ間隔の上記グループの期間がレイテンシ耐性間隔より短い又はそれに等しく、上記レイテンシ耐性間隔はレイテンシ耐性スケジューリング間隔であり、低レイテンシ間隔が低レイテンシサブフレームである、例１６Ｂに記載のＵＥ。
例１９Ｂ：無線通信の方法であって、第１のダウンリンクリソースによるスケジューリングされた第１のダウンリンク送信を第１のユーザ機器（ＵＥ）に送信する段階と、上記第１のダウンリンクリソースによるスケジューリングされた第２のダウンリンク送信を第２のＵＥに送信する段階と、上記第１のダウンリンクリソースとは異なる第２のダウンリンクリソースによるスケジューリングされた第３のダウンリンク送信を第３のＵＥに送信する段階と、共通シグナリングを上記第１のＵＥ及び上記第２のＵＥに送信するが、上記第３のＵＥには送信しない段階であって、上記共通シグナリングは、上記第１のダウンリンク送信及び上記第２のダウンリンク送信のうちの少なくとも一方のある部分がパンクチャリングされていることを示す、段階と、上記第１のダウンリンク送信及び上記第２のダウンリンク送信のうちの上記少なくとも一方のパンクチャリングされている上記部分による第４のダウンリンク送信を第４のＵＥに送信する段階とを備える方法。
例２０Ｂ：上記方法はさらに、上記第１のダウンリンクリソースの時間−周波数位置を示す制御情報を半静的に送信する段階を備える、例１９Ｂに記載の方法。
例２１Ｂ：上記方法はさらに、上記第１のダウンリンクリソースの時間−周波数位置を示す制御情報を動的に送信する段階を備える、例１９Ｂから２０Ｂのいずれかに記載の方法。
例２２Ｂ：上記第４のダウンリンク送信は、上記第１のダウンリンク送信、上記第２のダウンリンク送信、及び上記第３のダウンリンク送信のうちの少なくとも１つとは異なるサブキャリア間隔を有する、例１９Ｂから２１Ｂのいずれかに記載の方法。
例２３Ｂ：上記第４のダウンリンク送信は、上記第１のダウンリンク送信、上記第２のダウンリンク送信、及び上記第３のダウンリンク送信のそれぞれより低レイテンシの要件を有する、例１９Ｂから２２Ｂのいずれかに記載の方法。
例２４Ｂ：上記共通シグナリングは、上記第１のダウンリンクリソースのパンクチャリングされている上記部分の時間−周波数位置を示す、例１９Ｂから２３Ｂのいずれかに記載の方法。
例２５Ｂ：上記共通シグナリングはビットマップを含む、例２４Ｂに記載の方法。
例２６Ｂ：上記ビットマップは複数のビットを含み、上記複数のビットの各ビットは個々の低レイテンシサブフレームに対応し、上記個々の低レイテンシサブフレームがパンクチャリングされているかどうかを示す、例２５Ｂに記載の方法。
例２７Ｂ：上記共通シグナリングは、複数の低レイテンシサブフレームのそれぞれの個々の値を示し、上記値は上記サブフレームのどの部分がパンクチャリングされているかを示す、例２４Ｂに記載の方法。
例２８Ｂ：上記値は複数のビットで表される、例２７Ｂに記載の方法。
例２９Ｂ：第１のダウンリンクリソースによる第１のダウンリンク送信を第１のユーザ機器（ＵＥ）用にスケジューリングするスケジューラであって、上記スケジューラは、上記第１のダウンリンクリソースによる第２のダウンリンク送信を第２のＵＥ用にスケジューリングし、上記スケジューラは、上記第１のダウンリンクリソースとは異なる第２のダウンリンクリソースによる第３のダウンリンク送信を第３のＵＥ用にスケジューリングする、スケジューラと、上記第１のＵＥ及び上記第２のＵＥ用であるが上記第３のＵＥ用ではない共通シグナリングを発生させるシグナリング発生器であって、上記共通シグナリングは、上記第１のダウンリンク送信及び上記第２のダウンリンク送信のうちの少なくとも一方のある部分がパンクチャリングされていることを示し、上記スケジューラは、上記第１のダウンリンク送信及び上記第２のダウンリンク送信のうちの上記少なくとも一方のパンクチャリングされている上記部分による第４のダウンリンク送信を第４のＵＥ用にスケジューリングする、シグナリング発生器とを備える基地局。
例３０Ｂ：上記基地局は、上記第１のダウンリンクリソースの時間−周波数位置を示す制御情報を半静的に送信する、例２９Ｂに記載の基地局。
例３１Ｂ：上記基地局は、上記第１のダウンリンクリソースの時間−周波数位置を示す制御情報を動的に送信する、例２９Ｂから３０Ｂのいずれかに記載の基地局。
例３２Ｂ：上記第４のダウンリンク送信は、上記第１のダウンリンク送信、上記第２のダウンリンク送信、及び上記第３のダウンリンク送信のうちの少なくとも１つとは異なるサブキャリア間隔を有する、例２９Ｂから３１Ｂのいずれかに記載の基地局。
例３３Ｂ：上記第４のダウンリンク送信は、上記第１のダウンリンク送信、上記第２のダウンリンク送信、及び上記第３のダウンリンク送信のそれぞれより低レイテンシの要件を有する、例２９Ｂから３２Ｂのいずれかに記載の基地局。
例３４Ｂ：上記共通シグナリングは、上記第１のダウンリンク送信及び上記第２のダウンリンク送信のうちの上記少なくとも一方のパンクチャリングされている上記部分の時間−周波数位置を示す、例２９Ｂから３３Ｂのいずれかに記載の基地局。
例３５Ｂ：上記共通シグナリングは、上記第１のダウンリンクリソースのパンクチャリングされている上記部分の時間−周波数位置を示す、例２９Ｂから３４Ｂのいずれかに記載の基地局。
例３６Ｂ：上記共通シグナリングはビットマップを含む、例３５Ｂに記載の基地局。
例３７Ｂ：上記ビットマップは複数のビットを含み、上記複数のビットの各ビットは個々の低レイテンシサブフレームに対応し、上記個々の低レイテンシサブフレームがパンクチャリングされているかどうかを示す、例３６Ｂに記載の基地局。
例３８Ｂ：上記共通シグナリングは、複数の低レイテンシサブフレームのそれぞれの個々の値を示し、上記値は上記サブフレームのどの部分がパンクチャリングされているかを示す、例３５Ｂに記載の基地局。
例３９Ｂ：上記値は複数のビットで表される、例３８Ｂに記載の基地局。
【手続補正５】
【補正対象書類名】明細書
【補正対象項目名】０３０３
【補正方法】変更
【補正の内容】
【０３０３】
さらに、本明細書で例示された、命令を実行する任意のモジュール、コンポーネント、又はデバイスは、非一時的コンピュータ／プロセッサ可読記憶媒体又はコンピュータ／プロセッサ可読命令、データ構造体、プログラムモジュール、若しくは他のデータなどの情報を格納する媒体を含んでも、又は別の方法でこれらの媒体にアクセスしてもよい。非一時的コンピュータ／プロセッサ可読記憶媒体の例に関する非包括的なリストには、磁気カセット、磁気テープ、磁気ディスク記憶装置、又は他の磁気記憶装置、コンパクトディスクリードオンリメモリ（ＣＤ−ＲＯＭ）、デジタルビデオディスク若しくはデジタル多用途ディスク（ＤＶＤ）、ブルーレイディスク（登録商標）、又は他の光記憶装置などの光ディスク、任意の方法若しくは技術で実現された揮発性及び不揮発性の着脱できる及び着脱できない媒体、ランダムアクセスメモリ（ＲＡＭ）、リードオンリメモリ（ＲＯＭ）、電気的消去可能プログラム可能型リードオンリメモリ（ＥＥＰＲＯＭ）、フラッシュメモリ、又は他のメモリ装置が含まれる。そのようなあらゆる非一時的コンピュータ／プロセッサ記憶媒体は、デバイスの一部であっても、又はデバイスにとってアクセス可能であっても若しくはデバイスに接続可能であってもよい。本明細書で説明されたあらゆる応用例又はモジュールは、そのような非一時的コンピュータ／プロセッサ可読記憶媒体により格納されるか、又は別の方法で保持され得るコンピュータ／プロセッサ可読／実行可能命令を用いて実現されてよい。
【国際調査報告】
2019526979.tif 000014
2019526979.tif 000015
2019526979.tif 000016